(57)【要約】  基地局装置と通信する移動局装置であって、移動局装置がアクセスする小型基地局装置の制御情報を、前記基地局装置に要求するか否かを判定する判定部と、前記制御情報を要求すると前記判定部が判定した場合に、制御情報の要求メッセージに前記小型基地局装置の情報を設定して前記基地局装置に送信する第１の送信部と、前記基地局装置から送信される応答メッセージを受信する第１の受信部と、前記第１の受信部が受信した応答メッセージに設定されている制御情報に従った測定制御を実行する測定制御実行部とを備える。
2009116427.tif 000002
【特許請求の範囲】
【請求項１】
移動局装置と、基地局装置と、移動局装置がアクセスする小型基地局装置とを備える移動通信システムであって、
前記移動局装置は、
前記小型基地局装置の制御情報を前記基地局装置に要求するか否かを判定する判定部と、
前記制御情報を要求すると前記判定部が判定した場合に、制御情報の要求メッセージに前記小型基地局装置の情報を設定して前記基地局装置に送信する第１の送信部と、
前記基地局装置から送信される応答メッセージを受信する第１の受信部と、
前記第１の受信部が受信した応答メッセージに設定されている制御情報に従った測定制御を実行する測定制御実行部とを備え、
前記基地局装置は、
前記第１の送信部が送信した要求メッセージを受信する第２の受信部と、
前記第２の受信部が受信した要求メッセージに設定されている前記小型基地局装置の情報に基づき周辺セルから前記小型基地局装置を検索する検索部と、
前記検索部の検索結果に基づく制御情報を応答メッセージに設定して前記移動局装置に送信する第２の送信部とを備える移動通信システム。
【請求項２】
前記第１の送信部は、前記基地局装置との通信中に前記小型基地局装置を測定するために必要なギャップ制御情報を、前記要求メッセージとして前記基地局装置に送信する請求項１に記載の移動通信システム。
【請求項３】
前記第１の送信部は、前記基地局装置が実行した前記小型基地局装置の検索結果情報を、前記要求メッセージとして前記基地局装置に送信する請求項１に記載の移動通信システム。
【請求項４】
前記第１の送信部は、前記小型基地局装置と前記基地局装置とが異なる周波数または異なる通信システムを使用している場合に、前記ギャップ制御情報を前記基地局装置に送信する請求項２に記載の移動通信システム。
【請求項５】
前記第１の送信部は、前記小型基地局装置の測定結果が、所定回数または所定時間連続して条件を満たさなかった場合に、前記検索結果情報を前記基地局装置に送信する請求項３に記載の移動通信システム。
【請求項６】
前記第１の送信部は、前記小型基地局装置を特定する情報を、前記小型基地局装置の情報として設定して前記基地局装置に送信する請求項１に記載の移動通信システム。
【請求項７】
前記検索部は、前記小型基地局装置が周辺セルに位置するか否かを検索し、
前記第２の送信部は、前記検索部の検索結果をギャップ制御情報に設定して前記移動局装置に送信する請求項１に記載の移動通信システム。
【請求項８】
前記検索部は、前記小型基地局装置が周辺セルに位置するか否かを検索し、
前記第２の送信部は、前記第２の受信部が受信した要求メッセージに含まれる小型基地局装置の情報と、前記検索部で検索した検索結果とが異なる場合に、修正情報を応答メッセージに設定して前記移動局装置に送信する請求項１に記載の移動通信システム。
【請求項９】
前記検索部は、前記小型基地局装置が周辺セルに位置するか否かを検索し、
前記第２の送信部は、前記検索部の検索結果に基づき適切なギャップスケジューリングを行い、前記ギャップスケジューリング情報を応答メッセージに設定して前記移動局装置に送信する請求項１に記載の移動通信システム。
【請求項１０】
前記検索部は、前記小型基地局装置が周辺セルに位置するか否かを所定の条件に基づき検索し、
前記第２の送信部は、前記検索部で検索した検索結果を応答メッセージに設定して前記移動局装置に送信する請求項１に記載の移動通信システム。
【請求項１１】
移動局装置と、基地局装置と、移動局装置がアクセスする小型基地局装置とを備える移動通信システムであって、
前記移動局装置は、
前記小型基地局装置の検索を要求する要求メッセージに前記小型基地局装置の情報を設定して前記基地局装置に送信する第１の送信部と、
前記基地局装置から送信される応答メッセージを受信する第１の受信部とを備え、
前記基地局装置は、
前記第１の送信部が送信した要求メッセージを受信する第２の受信部と、
前記第２の受信部が受信した要求メッセージに設定されている前記小型基地局装置の情報に基づき周辺セルから前記小型基地局装置を検索する検索部と、
前記検索部の検索結果に基づく制御情報を応答メッセージに設定して前記移動局装置に送信する第２の送信部とを備える移動通信システム。
【請求項１２】
基地局装置と通信する移動局装置であって、
移動局装置がアクセスする小型基地局装置の制御情報を、前記基地局装置に要求するか否かを判定する判定部と、
前記制御情報を要求すると前記判定部が判定した場合に、制御情報の要求メッセージに前記小型基地局装置の情報を設定して前記基地局装置に送信する第１の送信部と、
前記基地局装置から送信される応答メッセージを受信する第１の受信部と、
前記第１の受信部が受信した応答メッセージに設定されている制御情報に従った測定制御を実行する測定制御実行部と、
を備える移動局装置。
【請求項１３】
前記第１の送信部は、前記基地局装置との通信中に前記小型基地局装置を測定するために必要なギャップ制御情報を、前記要求メッセージとして前記基地局装置に送信する請求項１２に記載の移動局装置。
【請求項１４】
前記第１の送信部は、前記基地局装置が実行した前記小型基地局装置の検索結果情報を、前記要求メッセージとして前記基地局装置に送信する請求項１２に記載の移動局装置。
【請求項１５】
前記第１の送信部は、前記小型基地局装置と前記基地局装置とが異なる周波数または異なる通信システムを使用している場合に、前記ギャップ制御情報を前記基地局装置に送信する請求項１３に記載の移動局装置。
【請求項１６】
前記第１の送信部は、前記小型基地局装置の測定結果が、所定回数または所定時間連続して条件を満たさなかった場合に、前記検索結果情報を前記基地局装置に送信する請求項１４に記載の移動局装置。
【請求項１７】
前記第１の送信部は、前記小型基地局装置を特定する情報を、前記小型基地局装置の情報として設定して前記基地局装置に送信する請求項１２に記載の移動局装置。
【請求項１８】
移動局装置と通信する基地局装置であって、
前記移動局装置から送信される要求メッセージを受信する第２の受信部と、
前記第２の受信部が受信した要求メッセージに設定されている、前記移動局装置がアクセスする小型基地局装置の情報に基づき周辺セルから前記小型基地局装置を検索する検索部と、
前記検索部の検索結果に基づく制御情報を応答メッセージに設定して前記移動局装置に送信する第２の送信部と、
を備える基地局装置。
【請求項１９】
前記検索部は、前記小型基地局装置が周辺セルに位置するか否かを検索し、
前記第２の送信部は、前記検索部の検索結果をギャップ制御情報に設定して前記移動局装置に送信する請求項１８に記載の基地局装置。
【請求項２０】
前記検索部は、前記小型基地局装置が周辺セルに位置するか否かを検索し、
前記第２の送信部は、前記第２の受信部が受信した要求メッセージに含まれる小型基地局装置の情報と、前記検索部で検索した検索結果とが異なる場合に、修正情報を応答メッセージに設定して前記移動局装置に送信する請求項１８に記載の基地局装置。
【請求項２１】
前記検索部は、前記小型基地局装置が周辺セルに位置するか否かを検索し、
前記第２の送信部は、前記検索部の検索結果に基づき適切なギャップスケジューリングを行い、前記ギャップスケジューリング情報を応答メッセージに設定して前記移動局装置に送信する請求項１８に記載の基地局装置。
【請求項２２】
前記検索部は、前記小型基地局装置が周辺セルに位置するか否かを所定の条件に基づき検索し、
前記第２の送信部は、前記検索部で検索した検索結果を応答メッセージに設定して前記移動局装置に送信する請求項１８に記載の基地局装置。
【請求項２３】
移動局装置と基地局装置とを用いた移動通信方法であって、
前記移動局装置は、
移動局装置がアクセスする小型基地局装置の制御情報を、前記基地局装置に要求するか否かを判定する判定過程と、
前記制御情報を要求すると前記判定過程で判定した場合に、制御情報の要求メッセージに前記小型基地局装置の情報を設定して前記基地局装置に送信する第１の送信過程と、
前記基地局装置から送信される応答メッセージを受信する第１の受信過程と、
前記第１の受信過程で受信した応答メッセージに設定されている制御情報に従った測定制御を実行する測定制御実行過程とを有し、
前記基地局装置は、
前記第１の送信過程で送信した要求メッセージを受信する第２の受信過程と、
前記第２の受信過程で受信した要求メッセージに設定されている前記小型基地局装置の情報に基づき周辺セルから前記小型基地局装置を検索する検索過程と、
前記検索過程の検索結果に基づく制御情報を応答メッセージに設定して前記移動局装置に送信する第２の送信過程とを有する移動通信方法。
【発明の詳細な説明】
【技術分野】
【０００１】
本発明は、移動通信システム、基地局装置、移動局装置及び移動通信方法に関する。
本願は、２００８年３月１９日に、日本に出願された特願２００８−０７２４９４号に基づき優先権を主張し、その内容をここに援用する。
【背景技術】
【０００２】
現在、家庭やオフィスに設置される小型基地局装置の検討が進められている。小型基地局装置は、家庭内の固定回線などと接続し、通信エリアの拡大やユーザ固有のサービスを提供するために使用される。
標準化団体３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）における小型基地局装置は、ホームノードＢと呼ばれる。
また、アクセス可能なユーザを事前に登録することによって、利用可能なユーザを制限したホームノードＢのことを、特にＣＳＧ（Ｃｌｏｓｅｄ  Ｓｕｂｓｃｒｉｂｅｒ  Ｇｒｏｕｐ）セルとよぶ（非特許文献１）。ＣＳＧセルは、フェムトセルともよばれることもあるが、その用途と意味は同じである。【０００３】
３ＧＰＰにおいて、第３世代の移動通信方式を進化させたＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）におけるＣＳＧセルの検討が進められている。
移動局装置は、自端末が登録されたＣＳＧセルと、登録されていないＣＳＧセルと、通常のセルとを区別できないと、登録外のＣＳＧセルへアクセスを試みてしまい、消費電力や無線リソースを浪費する。
そのため、登録されたＣＳＧセルのエリア内に、移動局装置が位置することを自律的に識別可能な技術が、ＥＵＴＲＡで検討されている。登録されたＣＳＧセルを、移動局装置が検出する方法としては、様々な方法が用いられる。例えば、ＧＰＳ（Ｇｌｏｂａｌ  Ｐｏｓｉｔｉｏｎｉｎｇ  Ｓｙｓｔｅｍ：全地球測位システム）による位置特定や、複数の周辺セルのＩＤを基に、登録されたＣＳＧセルを移動局装置が検出する方法などがある（非特許文献２）。【０００４】
また、いずれかの方法を用いて、自端末が登録されたＣＳＧセルのエリア内に位置すると、移動局装置が判定した場合、移動局装置は、そのＣＳＧセルの測定を開始する。移動局装置が間欠受信中などの理由で、自端末が登録されたＣＳＧセルの測定が可能な状態の場合、測定のための特別な制御は不要である。
ただし、移動局装置が基地局装置と通信中（アクティブ状態）などの理由で、自端末が登録されたＣＳＧセルを測定する時間が十分にない状態の場合、ＣＳＧセル測定のためのギャップを、基地局装置に要求することが提案されている（非特許文献３）。なお、ギャップとは、移動局装置と基地局装置との通信が行われない区間をいう。【０００５】
図２８は、ＣＳＧセル測定のために移動局装置から基地局装置へギャップを要求する場合の処理を示すシーケンス図である。また、図２９は、ＣＳＧセル測定のために移動局装置から基地局装置へギャップを要求する場合の他の処理を示すシーケンス図である。移動局装置が、ソースセルの基地局装置と通信中であって、いずれかの方法によりＣＳＧセルのエリア内であることを検出したときは（ステップＳ００１）、移動局装置は、ギャップリクエストをソースセルの基地局装置に送信する（ステップＳ００２）。
ギャップリクエストの方法としては、ギャップリクエストのための専用メッセージを送信する方法や、移動局装置からソースセルの基地局装置に下り回線の受信品質を報告する測定報告メッセージと同時に送信する方法などが用いられる。【０００６】
ギャップリクエストを受信したソースセルの基地局装置は、ギャップ生成の許可と、ギャップのために必要なギャップ情報とを含むギャップ制御メッセージを移動局装置に送信する（ステップＳ００３）。
ギャップ情報には、ギャップ長（ギャップ区間）、開始タイミング、周期などのＣＳＧセル測定のために必要な情報が含まれる。【０００７】
移動局装置は、指定されたギャップ区間においてＣＳＧセルの測定処理（ギャップ中測定処理）を行う（ステップＳ００４）。そして、移動局装置は、ギャップ区間で測定した内容を、測定報告メッセージとして基地局装置に送信する（ステップＳ００５）。
そして、ソースセルの基地局装置は、移動局装置に対してギャップの停止を指示する（ステップＳ００６）。基地局装置がギャップの停止を指示するタイミングは、ステップＳ００５の測定報告メッセージに基づき、ＣＳＧセルの測定が不要と判定したとき、または、ギャップ許可から一定時間が経過したときである（図２９のステップＳ１０６）。【０００８】
図２９のステップＳ１０１〜Ｓ１０５の処理は、図２８のステップＳ００１〜Ｓ００４、Ｓ００６と同じであるため、それらの説明を省略する。
なお、このギャップの停止指示は、ハンドオーバー指示メッセージ（ハンドオーバーコマンドとも称する）を用いることで代用されることもある。あるいは、ギャップ許可時にギャップの有効時間を指定し、明示的なメッセージを省略する方法も用いられる。【０００９】
従来のＣＳＧセルの測定処理では、移動局装置が自律的にＣＳＧセルのエリア内に位置することを検出する。そのため、そのＣＳＧセルエリア検出が間違っていた場合や、ＣＳＧセルの設置場所が変更された場合や、電源がオフであった場合、移動局装置はＣＳＧセルを検出することができず、測定のための消費電力が浪費されるという問題があった。
また、基地局装置がＣＳＧセル測定のためにギャップ区間を生成する必要がある場合、移動局装置は、自端末が登録されたＣＳＧセルの情報を所有しているにも関わらず、その情報を十分に利用していない。そのため、効率的なギャップを生成することができないという問題があった。
【非特許文献１】３ＧＰＰ  ＴＳ３６．３００，Ｏｖｅｒａｌｌ  ｄｉｓｃｒｉｐｔｉｏｎ；Ｓｔａｇｅ２．Ｖ８．３．０（ｈｔｔｐ：／／ｗｗｗ．３ｇｐｐ．ｏｒｇ／ｆｔｐ／Ｓｐｅｃｓ／ｈｔｍｌ−ｉｎｆｏ／３６３００．ｈｔｍ）
【非特許文献２】Ｈｕａｗｅｉ，“Ｃｅｌｌ  ｒｅ−ｓｅｌｅｃｔｉｏｎ  ｆｏｒ  ｈＮＢ”，Ｒ２−０７４８３１，３ＧＰＰ  ＴＳＧ−ＲＡＮ  ＷＧ２  Ｍｅｅｔｉｎｇ  ＃６０，Ｊｅｊｕ，Ｓｏｕｔｈ  Ｋｏｒｅａ，５−９ｔｈ  Ｎｏｖｅｍｂｅｒ  ２００７
【非特許文献３】Ｔ−Ｍｏｂｉｌｅ，ｅｔ  ａｌ．“Ｔｅｘｔ  ｐｒｏｐｏｓａｌ  ｆｏｒ  ＣＳＧ  ｒｅｌａｔｅｄ  ｍｏｂｉｌｉｔｙ”，Ｒ２−０７５４５３，３ＧＰＰ  ＴＳＧ−ＲＡＮ  ＷＧ２  Ｍｅｅｔｉｎｇ  ＃６０，Ｊｅｊｕ，Ｓｏｕｔｈ  Ｋｏｒｅａ，５−９ｔｈ  Ｎｏｖｅｍｂｅｒ  ２００７
【発明の開示】
【発明が解決しようとする課題】
【００１０】
本発明は、上記事情に鑑みてなされたものであり、その目的は、小型基地局装置の検出精度の向上と消費電力の削減を図り、無線リソースの利用効率を向上させることができる移動通信システム、基地局装置、移動局装置及び移動通信方法を提供することにある。
【課題を解決するための手段】
【００１１】
（１）  本発明は、上記課題を解決するためになされたもので、本発明の一態様による移動通信システムは、移動局装置と、基地局装置と、移動局装置がアクセスする小型基地局装置とを備える移動通信システムであって、前記移動局装置は、前記小型基地局装置の制御情報を前記基地局装置に要求するか否かを判定する判定部と、前記制御情報を要求すると前記判定部が判定した場合に、制御情報の要求メッセージに前記小型基地局装置の情報を設定して前記基地局装置に送信する第１の送信部と、前記基地局装置から送信される応答メッセージを受信する第１の受信部と、前記第１の受信部が受信した応答メッセージに設定されている制御情報に従った測定制御を実行する測定制御実行部とを備え、前記基地局装置は、前記第１の送信部が送信した要求メッセージを受信する第２の受信部と、前記第２の受信部が受信した要求メッセージに設定されている前記小型基地局装置の情報に基づき周辺セルから前記小型基地局装置を検索する検索部と、前記検索部の検索結果に基づく制御情報を応答メッセージに設定して前記移動局装置に送信する第２の送信部とを備える。【００１２】
（２）  また、本発明の一態様による移動通信システムの前記第１の送信部は、前記基地局装置との通信中に前記小型基地局装置を測定するために必要なギャップ制御情報を、前記要求メッセージとして前記基地局装置に送信する。【００１３】
（３）  また、本発明の一態様による移動通信システムの前記第１の送信部は、前記基地局装置が実行した前記小型基地局装置の検索結果情報を、前記要求メッセージとして前記基地局装置に送信する。【００１４】
（４）  また、本発明の一態様による移動通信システムの前記第１の送信部は、前記小型基地局装置と前記基地局装置とが異なる周波数または異なる通信システムを使用している場合に、前記ギャップ制御情報を前記基地局装置に送信する。【００１５】
（５）  また、本発明の一態様による移動通信システムの前記第１の送信部は、前記小型基地局装置の測定結果が、所定回数または所定時間連続して条件を満たさなかった場合に、前記検索結果情報を前記基地局装置に送信する。【００１６】
（６）  また、本発明の一態様による移動通信システムの前記第１の送信部は、前記小型基地局装置を特定する情報を、前記小型基地局装置の情報として設定して前記基地局装置に送信する。【００１７】
（７）  また、本発明の一態様による移動通信システムの前記検索部は、前記小型基地局装置が周辺セルに位置するか否かを検索し、前記第２の送信部は、前記検索部の検索結果をギャップ制御情報に設定して前記移動局装置に送信する。【００１８】
（８）  また、本発明の一態様による移動通信システムの前記検索部は、前記小型基地局装置が周辺セルに位置するか否かを検索し、前記第２の送信部は、前記第２の受信部が受信した要求メッセージに含まれる小型基地局装置の情報と、前記検索部で検索した検索結果とが異なる場合に、修正情報を応答メッセージに設定して前記移動局装置に送信する。【００１９】
（９）  また、本発明の一態様による移動通信システムの前記検索部は、前記小型基地局装置が周辺セルに位置するか否かを検索し、前記第２の送信部は、前記検索部の検索結果に基づき適切なギャップスケジューリングを行い、前記ギャップスケジューリング情報を応答メッセージに設定して前記移動局装置に送信する。【００２０】
（１０）  また、本発明の一態様による移動通信システムの前記検索部は、前記小型基地局装置が周辺セルに位置するか否かを所定の条件に基づき検索し、前記第２の送信部は、前記検索部で検索した検索結果を応答メッセージに設定して前記移動局装置に送信する。【００２１】
（１１）  また、本発明の一態様による移動通信システムは、移動局装置と、基地局装置と、移動局装置がアクセスする小型基地局装置とを備える移動通信システムであって、前記移動局装置は、前記小型基地局装置の検索を要求する要求メッセージに前記小型基地局装置の情報を設定して前記基地局装置に送信する第１の送信部と、前記基地局装置から送信される応答メッセージを受信する第１の受信部とを備え、前記基地局装置は、前記第１の送信部が送信した要求メッセージを受信する第２の受信部と、前記第２の受信部が受信した要求メッセージに設定されている前記小型基地局装置の情報に基づき周辺セルから前記小型基地局装置を検索する検索部と、前記検索部の検索結果に基づく制御情報を応答メッセージに設定して前記移動局装置に送信する第２の送信部とを備える。【００２２】
（１２）  また、本発明の一態様による移動局装置は、基地局装置と通信する移動局装置であって、移動局装置がアクセスする小型基地局装置の制御情報を、前記基地局装置に要求するか否かを判定する判定部と、前記制御情報を要求すると前記判定部が判定した場合に、制御情報の要求メッセージに前記小型基地局装置の情報を設定して前記基地局装置に送信する第１の送信部と、前記基地局装置から送信される応答メッセージを受信する第１の受信部と、前記第１の受信部が受信した応答メッセージに設定されている制御情報に従った測定制御を実行する測定制御実行部とを備える。【００２３】
（１３）  また、本発明の一態様による移動局装置の前記第１の送信部は、前記基地局装置との通信中に前記小型基地局装置を測定するために必要なギャップ制御情報を、前記要求メッセージとして前記基地局装置に送信する。【００２４】
（１４）  また、本発明の一態様による移動局装置の前記第１の送信部は、前記基地局装置が実行した前記小型基地局装置の検索結果情報を、前記要求メッセージとして前記基地局装置に送信する。【００２５】
（１５）  また、本発明の一態様による移動局装置の前記第１の送信部は、前記小型基地局装置と前記基地局装置とが異なる周波数または異なる通信システムを使用している場合に、前記ギャップ制御情報を前記基地局装置に送信する。【００２６】
（１６）  また、本発明の一態様による移動局装置の前記第１の送信部は、前記小型基地局装置の測定結果が、所定回数または所定時間連続して条件を満たさなかった場合に、前記検索結果情報を前記基地局装置に送信する。【００２７】
（１７）  また、本発明の一態様による移動局装置の前記第１の送信部は、前記小型基地局装置を特定する情報を、前記小型基地局装置の情報として設定して前記基地局装置に送信する。【００２８】
（１８）  また、本発明の一態様による基地局装置は、移動局装置と通信する基地局装置であって、前記移動局装置から送信される要求メッセージを受信する第２の受信部と、前記第２の受信部が受信した要求メッセージに設定されている、前記移動局装置がアクセスする小型基地局装置の情報に基づき周辺セルから前記小型基地局装置を検索する検索部と、前記検索部の検索結果に基づく制御情報を応答メッセージに設定して前記移動局装置に送信する第２の送信部とを備える。【００２９】
（１９）  また、本発明の一態様による基地局装置の前記検索部は、前記小型基地局装置が周辺セルに位置するか否かを検索し、前記第２の送信部は、前記検索部の検索結果をギャップ制御情報に設定して前記移動局装置に送信する。【００３０】
（２０）  また、本発明の一態様による基地局装置の前記検索部は、前記小型基地局装置が周辺セルに位置するか否かを検索し、前記第２の送信部は、前記第２の受信部が受信した要求メッセージに含まれる小型基地局装置の情報と、前記検索部で検索した検索結果とが異なる場合に、修正情報を応答メッセージに設定して前記移動局装置に送信する。【００３１】
（２１）  また、本発明の一態様による前記基地局装置の前記検索部は、前記小型基地局装置が周辺セルに位置するか否かを検索し、前記第２の送信部は、前記検索部の検索結果に基づき適切なギャップスケジューリングを行い、前記ギャップスケジューリング情報を応答メッセージに設定して前記移動局装置に送信する。【００３２】
（２２）  また、本発明の一態様による前記基地局装置の前記検索部は、前記小型基地局装置が周辺セルに位置するか否かを所定の条件に基づき検索し、前記第２の送信部は、前記検索部で検索した検索結果を応答メッセージに設定して前記移動局装置に送信する。【００３３】
（２３）  また、本発明の一態様による移動通信方法は、移動局装置と基地局装置とを用いた移動通信方法であって、前記移動局装置は、移動局装置がアクセスする小型基地局装置の制御情報を、前記基地局装置に要求するか否かを判定する判定過程と、前記制御情報を要求すると前記判定過程で判定した場合に、制御情報の要求メッセージに前記小型基地局装置の情報を設定して前記基地局装置に送信する第１の送信過程と、前記基地局装置から送信される応答メッセージを受信する第１の受信過程と、前記第１の受信過程で受信した応答メッセージに設定されている制御情報に従った測定制御を実行する測定制御実行過程とを有し、前記基地局装置は、前記第１の送信過程で送信した要求メッセージを受信する第２の受信過程と、前記第２の受信過程で受信した要求メッセージに設定されている前記小型基地局装置の情報に基づき周辺セルから前記小型基地局装置を検索する検索過程と、前記検索過程の検索結果に基づく制御情報を応答メッセージに設定して前記移動局装置に送信する第２の送信過程とを有する。
【発明の効果】
【００３４】
本発明の移動通信システム、基地局装置、移動局装置及び移動通信方法では、小型基地局装置の検出精度の向上と消費電力の削減が達成され、無線リソースの利用効率を向上させることができる。
【図面の簡単な説明】
【００３５】
【図１Ａ】本発明の第１の実施形態による移動通信システム１０００の概略構成図である。
【図１Ｂ】本発明の第１の実施形態による移動局装置５００が備える受信装置１００ａの構成を示す概略ブロック図である。
【図２】本発明の第１の実施形態による移動局装置５００が備える送信装置２００ａの構成を示す概略ブロック図である。
【図３】本発明の第１の実施形態による基地局装置が備える受信装置３００ａの構成を示す概略ブロック図である。
【図４】本発明の第１の実施形態による基地局装置が備える送信装置４００ａの構成を示す概略ブロック図である。
【図５】本発明の第１の実施形態によるＣＳＧセル測定のためのギャップリクエスト処理について示したシーケンス図である。
【図６】本発明の第１の実施形態によるＣＳＧセル測定のためのギャップリクエスト処理について示した別のシーケンス図である。
【図７】本発明の第１の実施形態による移動局装置５００におけるＣＳＧセルエリアの検出処理を示したフローチャートである。
【図８】本発明の第１の実施形態による移動局装置５００におけるギャップ制御メッセージ受信後の処理を示したフローチャートである。
【図９】本発明の第１の実施形態による基地局装置におけるギャップリクエスト受信後のＣＳＧセル検索処理を示したフローチャートである。
【図１０】本発明の第１の実施形態による基地局装置におけるギャップ制御メッセージの生成処理を示したフローチャートである。
【図１１Ａ】本発明の第１の実施形態による移動局装置５００が送信するギャップリクエストメッセージのデータ構造の例を示す図である。
【図１１Ｂ】本発明の第１の実施形態による移動局装置５００が送信するギャップリクエストメッセージの他のデータ構造の例を示す図である。
【図１２】本発明の第１の実施形態による移動局装置５００が送信するギャップリクエストメッセージの更に他のデータ構造の例を示す図である。
【図１３】本発明の第２の実施形態による移動局装置５００の受信装置１００ｂの一例を示すブロック図である。
【図１４】本発明の第２の実施形態による基地局装置が備える送信装置４００ｂの構成を示す概略ブロック図である。
【図１５】本発明の第２の実施形態におけるＣＳＧセル測定のためのギャップリクエスト処理について示したシーケンス図である。
【図１６】本発明の第２の実施形態におけるＣＳＧセル測定のためのギャップリクエスト処理について示した別のシーケンス図である。
【図１７】本発明の第２の実施形態による移動局装置５００におけるギャップ制御メッセージ受信後の処理を示したフローチャートである。
【図１８】本発明の第２の実施形態による基地局装置におけるギャップ制御メッセージの生成処理を示したフローチャートである。
【図１９】本発明の第２の実施形態による基地局装置がギャップリクエスト受信後、ＣＳＧセルが検出されなかった場合に、検索を継続する処理を示すシーケンス図である。
【図２０】本発明の第３の実施形態による移動局装置５００が備える受信装置１００ｃの構成を示す概略ブロック図である。
【図２１】本発明の第３の実施形態による移動局装置５００の送信装置２００ｃの構成を示す概略ブロック図である。
【図２２】本発明の第３の実施形態による基地局装置が備える受信装置３００ｃの構成を示す概略ブロック図である。
【図２３】本発明の第３の実施形態による基地局装置の送信装置４００ｃの構成を示す概略ブロック図である。
【図２４】本発明の第３の実施形態によるＣＳＧセル測定を要求するためのＣＳＧセル検索要求処理について示したシーケンス図である。
【図２５】本発明の第３の実施形態による移動局装置５００におけるＣＳＧセル測定処理を示したフローチャートである。
【図２６】本発明の第３の実施形態による基地局装置におけるＣＳＧセル検索要求メッセージ受信後のＣＳＧセル検索処理を示したフローチャートである。
【図２７】本発明の第３の実施形態による基地局装置がギャップリクエスト受信後、ＣＳＧセルが検出されなかった場合に、以降も検索を続ける場合のシーケンス図である。
【図２８】ＣＳＧセル測定のために移動局装置から基地局装置へギャップを要求する場合の処理を示すシーケンス図である。
【図２９】ＣＳＧセル測定のために移動局装置から基地局装置へギャップを要求する場合の他の処理を示すシーケンス図である。
【符号の説明】
【００３６】
１００ａ、１００ｂ、１００ｃ・・・受信装置、１０１・・・受信部、１０２・・・受信信号処理部、１０３・・・位置検出部、１０４・・・ＣＳＧセル情報登録部、１０５・・・検索結果判定部、２００ａ、２００ｃ・・・送信装置、２０１・・・ギャップリクエスト生成部、２０２・・・ＣＳＧセル情報登録部、２０３・・・送信信号処理部、２０４・・・送信部、２０５・・・ＣＳＧセル検索要求生成部、３００ａ、３００ｃ・・・受信装置、３０１・・・受信部、３０２・・・受信信号処理部、３０３・・・ギャップリクエスト処理部、３０４・・・周辺セル情報管理部、３０５・・・検索要求処理部、４００ａ、４００ｂ、４００ｃ・・・送信装置、４０１、４１１・・・ギャップ制御メッセージ生成部、４０２・・・周辺セル情報管理部、４０３・・・送信信号処理部、４０４・・・送信部、４０５・・・測定制御メッセージ生成部、５００・・・移動局装置、６００・・・基地局装置、Ａ１、Ａ２、Ａ３、Ａ４・・・アンテナ
【発明を実施するための最良の形態】
【００３７】
以下、図面を参照し、本発明の各実施形態について説明する。
ＥＵＴＲＡで使用される物理チャネルには、報知情報チャネル、上りデータチャネル、下りデータチャネル、下り共用制御チャネル、上り共用制御チャネル、ランダムアクセスチャネル、同期チャネル、リファレンス信号などがある。
物理チャネルは今後追加される可能性もあるが、本発明の各実施形態の説明には影響しないため、その説明を省略する。また、リファレンス信号には、下りリファレンス信号と上りリファレンス信号とがある。【００３８】
本発明の各実施形態に関わる物理チャネルは、同期チャネル、報知情報チャネル、下りリファレンス信号であるため、それ以外の物理チャネルの詳細な説明は省略する。
同期チャネル（ＳＣＨ：Ｓｙｎｃｈｒｏｎｉｚａｔｉｏｎ  Ｃｈａｎｎｅｌ）は、移動局装置が基地局装置を高速に検出するために使用される。同期チャネルは、３種類のＰ−ＳＣＨ（Ｐｒｉｍａｒｙ  ＳＣＨ）と、３１種類の符号を交互に配置したＳ−ＳＣＨ（Ｓｅｃｏｎｄａｒｙ  ＳＣＨ）とで構成される。Ｐ−ＳＣＨとＳ−ＳＣＨの信号との組み合わせによって、基地局装置を識別する５０４通りのセルＩＤと、無線同期のためのフレームタイミングを示す。
なお、同期チャネルは、同期シグナル（Ｓｙｎｃｈｒｏｎｉｚａｔｉｏｎ  Ｓｉｇｎａｌ）と称されることもあるが、その用途と意味は同じである。【００３９】
報知情報チャネル（ＢＣＨ：Ｂｌｏａｄｃａｓｔ  Ｃｈａｎｎｅｌ）は、セル内の移動局装置で共通に用いられる制御パラメータを通知する目的で、基地局装置から送信される。更に、報知情報チャネル（ＢＣＨ）は、Ｐ−ＢＣＨ（Ｐｒｉｍａｒｙ  ＢＣＨ）とＤ−ＢＣＨ（Ｄｙｎａｍｉｃ  ＢＣＨ）とに分類される。
Ｐ−ＢＣＨは、時間的・周波数的に所定の周期で送信することが予め決められている。そのため、移動局装置は、セルＩＤが同定されたセルのＰ−ＢＣＨを受信することが可能である。一方、Ｄ−ＢＣＨは、下り共用制御チャネルまたはＰ−ＢＣＨで送信リソース割り当てが通知され、セル毎に送信リソース割り当てを可変にすることも可能である。Ｐ−ＢＣＨとＤ−ＢＣＨには、少なくともセルＩＤよりも数が大きく、セル毎に一つだけ割り振られるグローバルＩＤ（グローバルセルＩＤとも称する）と、エリア情報（トラッキングエリアまたはトラッキングエリアＩＤとも称する）とが含まれる。【００４０】
下りリファレンス信号は、セル毎に原則として所定の電力で送信されるパイロット信号である。また、下りリファレンス信号は、所定の時間間隔（例えば１フレーム）で周期的に繰り返される信号である。移動局装置は、所定の時間間隔において下りリファレンス信号を受信することによって、この下りリファレンス信号を、セル毎の受信品質の判定に用いる。また、下りリファレンス信号と同時に送信される下りデータの復調のための参照用の信号として、この下りリファレンス信号を用いる。
下りリファレンス信号に使用される系列は、セル毎に一意に識別可能な系列であれば、その他の系列を用いても良い。
なお、下りリファレンス信号は、下りリファレンスシグナル（Ｒｅｆｅｒｅｎｃｅ  ｓｉｇｎａｌ）や、ＤＬ−ＲＳ（Ｄｏｗｎｌｉｎｋ  Ｒｅｆｅｒｅｎｃｅ  ｓｉｇｎａｌ）と称されることもあるが、その用途と意味は同じである。【００４１】
（第１の実施形態）
始めに、本発明の第１の実施形態について説明する。
図１Ａは、本発明の第１の実施形態による移動通信システム１０００の概略構成図である。移動通信システム１０００は、移動局装置５００と基地局装置６００とを備えている。
移動局装置５００は、受信装置１００ａ（後述する図１Ｂ）と、送信装置２００ａ（後述する図２）とを備えている。
基地局装置６００は、受信装置３００ａ（後述する図３）と、送信装置４００ａ（後述する図４）とを備えている。
移動局装置５００の受信装置１００ａは、基地局装置６００の送信装置４００ａが送信する信号を受信する。また、基地局装置６００の受信装置３００ａは、移動局装置５００の送信装置２００ａが送信する信号を受信する。【００４２】
図１Ｂは、本発明の第１の実施形態による移動局装置５００が備える受信装置１００ａの構成を示す概略ブロック図である。受信装置１００ａは、受信部１０１、受信信号処理部１０２、位置検出部１０３、ＣＳＧセル情報登録部１０４、アンテナＡ１を備えている。【００４３】
受信信号（基地局装置６００からの送信信号）は、アンテナＡ１を介して受信部１０１において受信される。受信部１０１において、受信信号は、チャネルスケジュールを示す受信制御情報を基に復調される。
受信制御情報には、各チャネルに関する受信タイミング、多重方法、リソース配置情報や復調に関する情報が含まれている。【００４４】
受信制御情報に従い、受信部１０１は受信信号をチャネル毎に復調・復号化し、受信信号処理部１０２に出力する。受信信号処理部１０２では、入力信号をチャネル毎に適切に処理する。また、受信信号処理部１０２は、測定に関する情報から測定情報を生成し、位置検出部１０３に出力する。
測定情報とは、同期チャネル（ＳＣＨ）から検出したセルＩＤや、下りリファレンス信号の受信品質や、報知情報から得たエリア情報などである。受信信号処理部１０２で処理される測定情報以外の情報（例えば、ユーザのトラフィックデータや下り制御データなど）は、その他の情報として、個別の処理ブロックに入力される。なお、その他の情報については、本実施形態に関係ないため、その説明を省略する。【００４５】
ＣＳＧセル情報登録部１０４には、ＣＳＧセル情報が予め登録されている。ＣＳＧセル情報とは、移動局装置５００が登録されたＣＳＧセルを、一意に特定可能な情報を含んでいる。ＣＳＧセル情報は、ホワイトリストとも称される。
例えば、ＣＳＧセル情報には、エリア情報、セルＩＤ（ＣＳＧＩＤとも称する）、周波数、帯域幅、グローバルＩＤ、通信方式、ＧＰＳ情報、ＩＰ（Ｉｎｔｅｒｎｅｔ  Ｐｒｏｔｏｃｏｌ：インターネットプロトコル）アドレスなどの情報の全部または一部が含まれる。
これらの情報は、移動局装置５００が登録されているＣＳＧセルが複数ある場合には、ＣＳＧセル情報を複数用いても良い。これらのＣＳＧセル情報は、任意の方法により、ＣＳＧセル情報登録部１０４に登録される。【００４６】
位置検出部１０３には、必要に応じて位置関連情報が入力される。位置関連情報は、基地局装置６００以外から送信される信号であり、例えばＧＰＳ信号などである。
位置検出部１０３は、測定情報と位置関連情報とを、ＣＳＧセル情報登録部１０４に登録されているＣＳＧセル情報と比較する。そして、位置検出部１０３は、自端末が登録されたＣＳＧセルの通信エリアに入ったか否かを判定する。【００４７】
判定方法としては、ＧＰＳ情報から取得した位置情報が所定の範囲内にあるか否かを判定する方法を用いることができる。また、検出した複数のセルＩＤが、ＣＳＧセルの周辺セルＩＤと一致している場合であって、かつ、所定値以上の品質であった場合に、自端末が登録されたＣＳＧセルの通信エリアに入ったと判定する方法を用いることもできる。なお、これら以外の判定方法を用いても良い。例えば、ユーザが明示的にエリア内であることを指示する方法を用いることもできる。
移動局装置５００は、位置検出部１０３において、自端末が登録されたＣＳＧセルの通信エリアに入ったと判定した場合であって、かつ、通信中（アクティブ状態）などの理由によりＣＳＧセルの測定がすぐに開始できないときには、基地局装置６００に、ＣＳＧセル測定のためのギャップを要求するために、ギャップリクエスト情報を生成して送信する。【００４８】
図２は、本発明の第１の実施形態による移動局装置５００が備える送信装置２００ａの構成を示す概略ブロック図である。送信装置２００ａは、ギャップリクエスト生成部２０１、ＣＳＧセル情報登録部２０２、送信信号処理部２０３、送信部２０４、アンテナＡ２を備えている。【００４９】
ギャップリクエスト生成部２０１には、図１Ｂの位置検出部１０３で生成されたギャップリクエスト情報が入力される。
ギャップリクエスト生成部２０１は、ＣＳＧセル情報登録部２０２から自端末が登録されたＣＳＧセル情報を取得し、ＣＳＧセル情報を含めたギャップリクエストメッセージを生成して、送信信号処理部２０３に出力する。なお、送信装置２００ａに、ＣＳＧセル情報登録部２０２を設けず、図１ＢのＣＳＧセル情報登録部１０４からＣＳＧセル情報を取得するようにしても良い。【００５０】
送信信号処理部２０３は、ギャップリクエスト生成部２０１からのギャップリクエストメッセージと、その他の送信信号とに対して適切なスケジューリングを行う。その他の送信信号とは、上りユーザトラフィックデータ、上り制御データ、上りリファレンス信号などである。
送信信号処理部２０３でスケジューリングされたデータは、送信部２０４において送信制御情報に基づいて、送信信号としてアンテナＡ２を介して出力される。送信制御情報には、各チャネルに関する送信タイミング、多重方法、リソース配置情報や変調に関する情報が含まれている。
なお、図１Ｂ及び図２において、その他の移動局装置５００の構成は、本実施形態に関係ないため、その説明を省略する。【００５１】
図３は、本発明の第１の実施形態による基地局装置６００が備える受信装置３００ａの構成を示す概略ブロック図である。受信装置３００ａは、受信部３０１、受信信号処理部３０２、ギャップリクエスト処理部３０３、周辺セル情報管理部３０４、アンテナＡ３を備えている。【００５２】
受信信号（移動局装置５００からの送信信号）は、アンテナＡ３を介して受信部３０１において受信される。受信部３０１において、受信信号はチャネルスケジュールを示す受信制御情報を基に復調される。
受信制御情報には、移動局装置５００毎の各チャネルに関する受信タイミング、多重方法、リソース配置情報や復調に関する情報が含まれている。受信制御情報に従い、受信部３０１は、受信信号をチャネル毎に復調・復号化し、受信信号処理部３０２に出力する。【００５３】
受信信号処理部３０２では、入力信号を移動局装置５００毎に分離し、チャネル毎に適切に処理する。受信信号処理部３０２は、ギャップリクエストメッセージを受信したとき、ギャップリクエストメッセージ内の情報（ギャップリクエスト情報）をギャップリクエスト処理部３０３に出力する。
受信信号処理部３０２で処理されるギャップリクエスト以外の移動局装置情報（例えば、ユーザのトラフィックデータや上り制御データなど）は、その他の情報として、個別の処理ブロックに入力される。なお、その他の情報は、本実施形態に特に関係ないため、その説明を省略する。【００５４】
周辺セル情報管理部３０４には、基地局装置６００の周辺に配置されている基地局装置のセル情報（周辺セル情報）が登録されている。
周辺セル情報とは、セルを一意に判別可能な複数の情報である。例えば、エリア情報、セルＩＤ、周波数、帯域幅、グローバルＩＤ、通信方式、ＧＰＳ情報、ＩＰアドレス、周辺セルの測定結果などが周辺セル情報として登録される。
これらの情報は、周辺セルの数だけ複数用いられ、任意の方法によって登録される。また、ギャップリクエスト情報を受信するたびに、登録内容を更新するようにしても良い。【００５５】
ギャップリクエスト処理部３０３には、ギャップリクエスト情報と周辺セル情報が入力される。ギャップリクエスト処理部３０３は、ギャップリクエスト情報内のＣＳＧセル情報と周辺セル情報に基づき、ギャップの可否を判定する。ギャップリクエスト処理部３０３は、判定結果に基づき、ギャップ許可またはギャップ拒否の情報を含むギャップ可否情報を出力する。
例えば、ギャップリクエスト処理部３０３は、周辺セル情報にＣＳＧセルが含まれている場合にギャップ許可と判定し、含まれてない場合にギャップ拒否と判定する。なお、ギャップリクエスト処理部３０３は、周辺セル情報に含まれているが、一定時間内に応答がない場合にギャップ拒否と判定しても良い。【００５６】
図４は、本発明の第１の実施形態による基地局装置６００が備える送信装置４００ａの構成を示す概略ブロック図である。送信装置４００ａは、ギャップ制御メッセージ生成部４０１、周辺セル情報管理部４０２、送信信号処理部４０３、送信部４０４、アンテナＡ４を備えている。【００５７】
ギャップ制御メッセージ生成部４０１には、図３のギャップリクエスト処理部３０３で生成されたギャップ可否情報が入力される。
ギャップ可否情報において、ギャップ許可の情報が含まれていた場合、ギャップ制御メッセージ生成部４０１は、からギャップリクエストに含まれていた該当移動局装置５００のＣＳＧセルに対応する周辺セル情報を取得する。なお、周辺セル情報管理部４０２を設けずに、図３の周辺セル情報管理部３０４から周辺セル情報を取得するようにしても良い。
ギャップ制御メッセージ生成部４０１は、周辺セル情報を考慮した最適なギャップ情報を判定し、ギャップ許可とギャップ情報とを含めたギャップ制御メッセージを生成して、送信信号処理部４０３に出力する。
一方、ギャップ拒否の情報が含まれていた場合は、ギャップ制御メッセージ生成部４０１は、ギャップ拒否を示す情報を含めたギャップ制御メッセージを生成して、送信信号処理部４０３に出力する。【００５８】
送信信号処理部４０３は、ギャップ制御メッセージ生成部４０１からのギャップ制御メッセージと、その他の送信信号に対して適切なスケジューリングを行う。その他の送信信号とは、各移動局装置５００の下りユーザトラフィックデータや下り制御データ、下りリファレンス信号などである。
送信信号処理部４０３でスケジューリングされたデータは、送信部４０４において送信制御情報に基づいて、送信信号としてアンテナＡ４を介して出力される。送信制御情報には、各チャネルに関する送信タイミング、多重方法、リソース配置情報や変調に関する情報が含まれている。
なお、図３及び図４において、その他の基地局装置の構成は、本実施形態に関係ないため、その説明を省略する。【００５９】
図５は、本発明の第１の実施形態によるＣＳＧセル測定のためのギャップリクエスト処理について示したシーケンス図である。図５では、移動局装置５００がソースセルの基地局装置６００と通信中（アクティブ状態）の状態を示している。
また、図５のシーケンス図では、移動局装置５００からのギャップリクエストがソースセルの基地局装置６００で許可された場合を示している。また、送受信時のリソース割当て処理などは省略している。【００６０】
まず、移動局装置５００は、自端末が登録されたＣＳＧセルのエリア内に位置すること検出する（ステップＳ３０１）。検出方法としては、任意の方法を用いることができる。例えば、前述したように周辺セルＩＤやＧＰＳ情報などから自律的に判定する方法を用いることができる。また、ユーザが明示的に移動局装置５００にエリア内に位置することを指示する方法を用いても良い。
ＣＳＧセルエリアであることを検出した（または指示された）移動局装置５００は、ＣＳＧセル測定のためのギャップが必要である場合、ギャップリクエストメッセージを生成する。そして、ギャップリクエストメッセージ内に、該当するＣＳＧセル情報を少なくとも一つ含めてソースセルの基地局装置６００に送信する（ステップＳ３０２）。【００６１】
ソースセルの基地局装置６００は、ギャップリクエストメッセージを移動局装置５００から受信した場合、受信したＣＳＧセル情報内のＣＳＧセルが、ソースセルの周辺セルに配置されているか否かについて検索する（ステップＳ３０３）。ここで、周辺セルには、周波数や通信方式がソースセルと異なるセルも含まれる。
検索方法としては、基地局装置６００が保持する周辺セル情報から検索しても良いし、周辺の基地局装置に該当するセルがあるか否かについて問い合わせても良い。
ＣＳＧセルが周辺セルとして配置されていた場合、ソースセルの基地局装置６００は、該当ＣＳＧセルを移動局装置５００が測定するのに可能な限り最適なギャップスケジューリングを行う（ステップＳ３０４）。
最適なギャップスケジューリングとは、ＣＳＧセルの同期チャネルや報知情報チャネルの送信タイミングに一致するように、ギャップ長（ギャップ区間）やギャップ数、ギャップの周期などを設定することである。これらの設定は、ソースセルが、ＣＳＧセル情報の他、トラフィック量やリソース利用効率などのスケジュール情報に基づき行う。【００６２】
ソースセルの基地局装置６００は、ギャップ制御メッセージを移動局装置５００に送信する（ステップＳ３０５）。ギャップ制御メッセージに設定する制御情報（ギャップ制御情報）には、ギャップ許可の情報と、ギャップスケジューリングを示すギャップ情報とが含まれる。
ギャップ制御メッセージを受信した移動局装置５００は、ギャップ制御情報を取り出す。そして、移動局装置５００は、ギャップ制御メッセージ内容に従って、ギャップ区間中に自端末が登録されたＣＳＧセルの測定を開始する（ステップＳ３０６）。ステップＳ３０６の処理を、ギャップ制御メッセージ処理とも称する。【００６３】
図６は、本発明の第１の実施形態によるＣＳＧセル測定のためのギャップリクエスト処理について示した別のシーケンス図である。図６では、移動局装置５００は、ソースセルの基地局装置６００と通信中（アクティブ状態）の状態を示している。
また、図６のシーケンス図は、移動局装置５００からのギャップリクエストが、ソースセルの基地局装置６００で拒否された場合を示している。また、送受信時のリソース割当て処理などは省略している。【００６４】
移動局装置５００がギャップリクエストをソースセルに送信し、ソースセルにてギャップリクエストに基づきＣＳＧセルを検索するまでの処理（ステップＳ４０１、Ｓ４０２、Ｓ４０３）は、図５のステップＳ３０１、Ｓ３０２、Ｓ３０３の処理と同じであるため、その説明を省略する。
ソースセルは、ＣＳＧセルが周辺セルに含まれないなどの理由によって、ギャップを生成できないと判定した場合、ギャップ制御メッセージに設定する制御情報（ギャップ制御情報）として、ギャップ拒否の情報を含めて移動局装置５００に送信する（ステップＳ４０４）。【００６５】
ギャップ制御メッセージを受信した移動局装置５００は、ギャップ制御情報を取り出し、メッセージの内容によりギャップリクエストが拒否されたことを知る。そして、移動局装置５００は、現在のスケジューリングに従った受信制御を継続する（ステップＳ４０５）。ステップＳ４０５の処理を、ギャップ制御メッセージ処理とも称する。
図５および図６における移動局装置５００のＣＳＧセル位置検出、ギャップ制御メッセージ処理、基地局装置６００のＣＳＧセル検索、ギャップスケジューリング最適化の処理の詳細を図７〜図１０にそれぞれ示す。【００６６】
図７は、本発明の第１の実施形態による移動局装置５００におけるＣＳＧセルエリアの検出処理を示したフローチャートである。移動局装置５００は周期的、または特定の事象が発生した時に周辺セルの測定を行い、測定情報を更新する（ステップＳ１１）。また、移動局装置５００は、位置関連情報を受信する。
これら測定情報を基に、移動局装置５００は、ＣＳＧセルエリア検索処理を行う（ステップＳ１２）。移動局装置５００は、ＣＳＧセルエリア検索処理によって、ＣＳＧセルエリア内に移動局装置５００が位置するか否かについて判定する（ステップＳ１３）。移動局装置５００がＣＳＧセルエリア内に位置しない場合は、移動局装置５００は、ステップＳ１１へ戻り、測定情報の更新処理を継続する。【００６７】
一方、移動局装置５００がＣＳＧセルエリア内に位置すると判定された場合は、移動局装置５００は、ＣＳＧセルの測定のためにギャップが必要か否かについて判定する（ステップＳ１４）。ギャップが不要の場合、すなわち、間欠受信中であったり、ＣＳＧセルとソースセルが同一周波数であったりした場合は、図７のフローチャートの処理を終了する。
それ以外の場合で、ギャップが必要であるときは、ギャップリクエスト生成処理を行う（ステップＳ１５）。ギャップリクエスト生成処理において、検出したＣＳＧセル情報と、ギャップリクエストのための必要情報とを、ギャップリクエストメッセージに設定する。【００６８】
図８は、本発明の第１の実施形態による移動局装置５００におけるギャップ制御メッセージ受信後の処理を示したフローチャートである。
移動局装置５００は、ギャップ制御メッセージ受信処理において、ソースセルの基地局装置６００からギャップ制御メッセージを受信する（ステップＳ２１）。
そして、移動局装置５００は、ステップＳ２１で受信したギャップ制御メッセージに設定されているギャップ制御情報により、ギャップが許可されているか否かについて判定する（ステップＳ２２）。【００６９】
ギャップ制御メッセージが、ギャップ許可を指示していた場合、移動局装置５００は、ギャップスケジューリング処理において、同時に通知されるギャップ情報に基づき、スケジューリングを実施する（ステップＳ２３）。そして、移動局装置５００は、ギャップ区間においてＣＳＧセルの測定を開始する（ステップＳ２４）。ＣＳＧセルの測定を終えた後、移動局装置５００は、図８のフローチャートの処理を終了する。ステップＳ２２で、ギャップ許可が指示されなかった場合も、図８に示すフローチャートの処理を終了する。【００７０】
図９は、本発明の第１の実施形態による基地局装置６００におけるギャップリクエスト受信後のＣＳＧセル検索処理を示したフローチャートである。ソースセルの基地局装置６００は、ギャップリクエストメッセージを受信した場合、ギャップリクエスト受信処理を行う（ステップＳ３１）。基地局装置６００は、ギャップリクエスト受信処理によって、ギャップリクエストメッセージに含まれるギャップリクエスト情報を取得する。
続いて、基地局装置６００は、ギャップリクエスト情報内のＣＳＧセル情報が周辺セル情報に含まれているかを検索する（ステップＳ３２）。周辺セル情報は、ソースセルの基地局装置６００が事前に保持するようにしても良いし、ギャップリクエストメッセージ受信後に周辺セルを検索した結果から得た情報を用いるようにしても良い。【００７１】
そして、基地局装置６００は、移動局装置５００から指定されたＣＳＧセルが周辺セル情報に含まれているかを判定し（ステップＳ３３）、含まれていない場合はギャップ拒否と判定する（ステップＳ３６）。
一方、含まれている場合には、基地局装置６００は、ギャップスケジューリング可能か否かについて判定する（ステップＳ３４）。ギャップスケジューリング可能か否かについての判定は、トラフィック量や、移動局装置５００とＣＳＧセルとの位置関係などが考慮される。
ギャップスケジューリングが可能なときは、基地局装置６００は、ギャップ許可と判定する（ステップ３５）。一方、ギャップスケジューリングが不可能なときは、ギャップ拒否と判定する（ステップＳ３６）。
そして、基地局装置６００は、ギャップ許可またはギャップ拒否の判定結果を含めたギャップ可否情報をステップＳ３７で生成し、図９に示すフローチャートの処理を終了する。【００７２】
図１０は、本発明の第１の実施形態による基地局装置６００におけるギャップ制御メッセージの生成処理を示したフローチャートである。
まず、ソースセルの基地局装置６００は、ギャップ可否情報を確認し、ギャップリクエストに対して、ギャップを許可するか否かについて判定する（ステップＳ４１）。
ギャップが許可されていた場合は、基地局装置６００は、移動局装置５００からギャップリクエストと共に通知されたＣＳＧセルの情報（ＣＳＧセル情報）を取得する（ステップＳ４２）。
また、基地局装置６００は、ＣＳＧセル情報から、該当ＣＳＧセルの送信タイミングなどのＣＳＧセル測定のためのギャップスケジューリングに関連する情報を生成する。
基地局装置６００は、ＣＳＧセル情報を基に、最適なギャップスケジューリングを行う（ステップＳ４３）。そして、基地局装置６００は、ギャップ許可の情報と、ギャップスケジューリングの情報とを含むギャップ制御メッセージを生成する（ステップＳ４４）。ギャップが拒否されていた場合は、基地局装置６００は、ステップＳ４４へ進み、ギャップ拒否の情報を含むギャップ制御メッセージを生成する。基地局装置６００は、ギャップ制御メッセージの生成後、図１０のフローチャートの処理を終了する。【００７３】
なお、図７〜図１０のフローチャートは、移動局装置５００または基地局装置６００の処理の一例を示すものであって、これらの処理に限定されるものではない。移動局装置５００がギャップの要求と共にＣＳＧセル情報を基地局装置６００に通知し、基地局装置６００がＣＳＧセル情報を考慮して、ギャップの要求について判定するという方法であれば、これ以外の処理を行っても良い。【００７４】
図１１Ａは、本発明の第１の実施形態による移動局装置５００が送信するギャップリクエストメッセージのデータ構造の例を示す図である。また、図１１Ｂは、本発明の第１の実施形態による移動局装置５００が送信するギャップリクエストメッセージの他のデータ構造の例を示す図である。
図１１Ａは、ギャップリクエストのみが含まれるデータ構造を示している。また、図１１Ｂは、測定報告のための情報に、ギャップリクエストが含まれるデータ構造を示している。
移動局装置５００は、自端末が登録されたＣＳＧセルに関して、基地局装置６００が一意に特定するために必要なセル情報を含めて送信する。複数のＣＳＧセルがある場合は、移動局装置５００は、必要な数だけ情報を含めるようにしても良い。あるいは、サービスの継続性などに基づき、移動局装置５００は、優先度の高いＣＳＧセルを一つ選んで設定しても良い。【００７５】
ここで、ギャップリクエストメッセージに含めるＣＳＧセル情報は、該当するＣＳＧセルの通信方式で用いられる情報のみが基地局装置６００に通知される。例えば、２つのＣＳＧセルがそれぞれ通信方式１と通信方式２を採用していた場合であって、通信方式２ではグローバルＩＤが導入されていないとき、通信方式２のＣＳＧセル情報にグローバルＩＤを含める必要はない。これを図１１Ａに示す。
すなわち、図１１Ａでは、ＣＳＧセル情報のみが含まれている。通信方式１を用いる１番目のＣＳＧセルでは、については、ＣＳＧセル情報として、セル識別子の情報（セルＩＤ＿Ａ）、周波数情報（周波数情報＿Ａ）、グローバル識別子の情報（グローバルＩＤ＿Ａ）等を通知する。また、通信方式２を用いる２番目のＣＳＧセルでは、セル識別子の情報（セルＩＤ＿Ｂ）、周波数情報（周波数情報＿Ｂ）等を通知する。【００７６】
図１１Ｂのように、測定報告のための情報にギャップリクエストを含める場合、自端末が登録されたＣＳＧセルに関して基地局装置６００が一意に特定するために必要なセル情報を含めて送信する。含めるＣＳＧセル情報は図１１Ａの場合と同じである。
すなわち、図１１Ｂでは、通常の測定報告とは別にＣＳＧセル情報が含まれている。測定報告として、１番目のセルについては、セル識別子の情報（セルＩＤ＿Ａ）と、品質情報（品質情報＿Ａ）を通知する。また、２番目のセルについては、セル識別子の情報（セルＩＤ＿Ｂ）と、品質情報（品質情報＿Ｂ）を通知する。３番目のセルについては、セル識別子の情報（セルＩＤ＿Ｃ）と、品質情報（品質情報＿Ｃ）を通知する。
そして、ＣＳＧセル情報として、１番目のＣＳＧセルについては、セル識別子の情報（セルＩＤ＿Ｄ）と、周波数情報（周波数情報＿Ｄ）、ＧＰＳ情報（ＧＰＳ＿Ｄ）等を通知する。【００７７】
図１２は、本発明の第１の実施形態による移動局装置５００が送信するギャップリクエストメッセージの更に他のデータ構造の例を示す図である。図１２のように、通常の測定報告メッセージを再利用し、ＣＳＧセルフラグを用いてギャップリクエストを行っても良い。このとき、ＣＳＧセルフラグを用いる代わりに、セルＩＤや品質情報などの通常の測定報告で使用されるフィールドの未使用値を使用したり、ＣＳＧセルのエリアに入ったことを示す特定値をフィールドに設定したりすることでＣＳＧセルを示しても良い。
すなわち、図１２では、通常の測定報告のデータ構造を、可能な限り変更しないようにＣＳＧセル情報が含まれている。つまり、測定報告として、１番目のセルについては、セル識別子の情報（セルＩＤ＿Ａ）と、品質情報（品質情報＿Ａ）を通知する。また、２番目のセルについては、セル識別子の情報（セルＩＤ＿Ｂ）と、品質情報（品質情報＿Ｂ）を通知する。また、３番目のセルについては、セル識別子の情報（セルＩＤ＿Ｃ）と、品質情報（品質情報＿Ｃ）を通知する。そして、ＣＳＧセルであるｎ番目のセルについては、ＣＳＧセル情報として、セル識別子の情報（セルＩＤ＿Ｄ）と、品質情報（品質情報＿Ｄ）という測定報告の他に、ギャップリクエストとしてＣＳＧセルフラグも通知する。【００７８】
なお、基地局装置６００が、ＣＳＧセル測定のためのギャップリクエストであることが判定可能であり、そのために必要なＣＳＧセル情報を少なくとも一つ含めることが可能であれば、図１１Ａ、図１１Ｂ、図１２と異なるデータ構造を用いても良い。【００７９】
本実施形態の移動局装置５００の位置検出部１０３（判定部とも称する）は、移動局装置５００がアクセス可能なＣＳＧセル（小型基地局装置とも称する）を測定するための制御情報（ギャップ許可やギャップ情報）をソースセル（基地局装置とも称する）に要求するか否かを判定する。本実施形態では、ＣＳＧセルのエリア内であることを検出することができるか否かによって、ギャップ許可やギャップ情報をソースセルに要求するか否かを判定する（図５のステップＳ３０１）。
また、送信部２０４（第１の送信部とも称する）は、ギャップ許可やギャップ情報を要求すると位置検出部１０３が判定した場合に、ギャップリクエスト（要求メッセージとも称する）に、ＣＳＧセル情報を設定してソースセルの基地局装置６００に送信する（図５のステップＳ３０２）。
また、受信部１０１（第１の受信部とも称する）は、ソースセルの基地局装置６００から送信されるギャップ制御メッセージ（応答メッセージとも称する）を受信する（図５のステップＳ３０５）。
また、受信信号処理部１０２（測定制御実行部とも称する）は、受信部１０１が受信したギャップ制御メッセージに設定されているギャップ許可やギャップ情報に従った測定制御を実行する（図５のステップＳ３０６）。【００８０】
また、本実施形態の基地局装置６００の受信部３０１（第２の受信部とも称する）は、移動局装置５００の送信部２０４が送信したギャップリクエスト（要求メッセージとも称する）を受信する（図５のステップＳ３０２）。
また、ギャップリクエスト処理部３０３（検索部とも称する）は、受信部３０１が受信したギャップリクエストに設定されているＣＳＧセル情報に基づき周辺セルからＣＳＧセルを検索する（図５のステップＳ３０３）。
また、送信部４０４（第２の送信部）は、ギャップリクエスト処理部３０３の検索結果に基づく制御情報（ギャップ許可やギャップ情報）をギャップ制御メッセージ（応答メッセージとも称する）に設定して移動局装置５００に送信する（図５のステップＳ３０５）。【００８１】
本実施形態によれば、移動局装置５００は、ギャップリクエストに自端末が登録されたＣＳＧセル情報を含めて基地局装置６００に送信することができる。
また、基地局装置６００は、移動局装置５００のＣＳＧセルが周辺のエリアに配置されているか否かを判定することができ、その結果を移動局装置５００に通知することができる。【００８２】
本実施形態により、移動局装置５００は、自端末が登録されたＣＳＧセル測定のための情報を基地局装置６００に送信することが可能となる。また、基地局装置６００は該当ＣＳＧセルに対して最適なギャップスケジューリングを行うことが可能となる。
これにより、移動局装置５００におけるＣＳＧセルの測定効率が向上する。また、基地局装置６００は、移動局装置５００が通知したＣＳＧセルが周辺セルとして配置されているか否かについて確認することが可能となる。そのため、移動局装置５００のＣＳＧセルエリアの検出誤りなどによる無駄なギャップ区間を生成することがなくなり、無線リソースの利用効率が向上する。
更に、検出誤り時の不要なＣＳＧセルの測定が抑制されるため、移動局装置５００の電力消費量が削減される。【００８３】
（第２の実施形態）
次に、本発明の第２の実施形態について説明する。第２の実施形態による移動通信システムは、第１の実施形態と同様に、移動局装置５００と基地局装置６００とを備えている。しかし、第２の実施形態では、移動局装置５００が、受信装置１００ａ（図１Ｂ）の代わりに、受信装置１００ｂ（図１３）を備えている点において、第１の実施形態と相違する。また、第２の実施形態では、基地局装置６００が、送信装置４００ａ（図４）の代わりに、送信装置４００ｂ（図１４）を備えている点において、第１の実施形態と相違する。
第２の実施形態は、基地局装置６００がギャップリクエストの応答メッセージを送信する場合に、ギャップ情報以外のＣＳＧセルに関連する情報を、移動局装置５００に送信する方法である。【００８４】
基地局装置６００は、ギャップリクエストメッセージで通知されたＣＳＧセルを検索し、その検索結果に基づきギャップ許可またはギャップ拒否を示す情報を生成する。
また、ギャップ許可の場合、基地局装置６００は、ＣＳＧセルを測定するために最適なギャップ情報、ＣＳＧセルの自律検出のための更新情報などの情報も生成する。一方、ギャップ拒否の場合、基地局装置６００は、ギャップ拒否の理由情報、ＣＳＧセルの自律検出のための更新情報などの情報も生成する。
更新情報とは、移動局装置５００の自律検出を補正するための情報であり、例えば、該当ＣＳＧセルに対応する周辺セルのセルＩＤやＧＰＳ情報などである。【００８５】
ギャップ拒否の理由としては、例えば、（１）セル未検出、（２）セル未応答、（３）セル未確認、（４）移動制御不可、（５）スケジューリング不可、などがある。
具体的には、それぞれ、（１）周辺セルに通知されたＣＳＧセルが配置されていないとき、（２）電源オフや故障などの理由でＣＳＧセルからの応答がないとき、（３）何らかの理由でＣＳＧセルの検索ができなかったとき、（４）ＣＳＧセルまでの距離が遠すぎるなどの理由で測定する必要がないとき、（５）トラフィック量が多くギャップ区間を生成できないとき、などである。なお、これ以外のギャップ拒否理由が存在する場合もある。【００８６】
基地局装置６００は、これらの情報をギャップ制御メッセージに含めて移動局装置５００に送信する。移動局装置５００は、ギャップ制御メッセージを受信し、そのギャップ制御メッセージの内容に基づき適切な制御を開始する。【００８７】
図１３は、本発明の第２の実施形態による移動局装置５００の受信装置１００ｂの一例を示すブロック図である。受信装置１００ｂは、受信部１０１、受信信号処理部１０２、位置検出部１０３、ＣＳＧセル情報登録部１０４、検索結果判定部１０５、アンテナＡ１を備えている。
受信装置１００ｂの構成が、受信装置１００ａ（図１Ｂ）の構成と同様の部分については、同一の符号を付してそれらの説明を省略する。
また、受信信号の内容がギャップリクエストの応答、すなわちギャップ制御メッセージ以外であった場合の受信装置１００ｂの処理は、図１Ｂと同じであるため、その説明を省略する。【００８８】
ギャップ制御メッセージを受信した受信信号処理部１０２は、ギャップ制御情報を取り出し、検索結果判定部１０５に出力する。
ギャップ制御情報とは、ギャップ許可またはギャップ拒否の情報や、ギャップのスケジューリング情報や、移動局装置５００から送信したＣＳＧセル情報を基に基地局装置６００が周辺セルを検索した結果得られた情報（前述の更新情報やギャップ拒否の理由を含む）などである。【００８９】
検索結果判定部１０５は、ギャップ制御情報に含まれる各情報に基づき、必要であれば登録してあるＣＳＧセル情報を更新するための情報を、ＣＳＧセル情報登録部１０４に出力する。
更に、検索結果判定部１０５は、必要であればギャップリクエスト情報生成のための追加情報を、位置検出部１０３に出力する。
ＣＳＧセル情報登録部１０４は、ＣＳＧセルエリアを特定するための登録情報（例えば周辺セルのセルＩＤやＧＰＳ情報）の更新情報が入力されたとき、登録情報を更新する。【００９０】
位置検出部１０３は、追加情報に応じてギャップリクエスト情報を再生成する。例えば、ギャップ拒否のときで、その拒否理由がセル未応答の場合には、位置検出部１０３は、所定の時間経過後にギャップリクエスト情報を生成する。
これら拒否理由に対応する制御パラメータは、事前に報知情報で移動局装置５００に通知しても良いし、ギャップ制御メッセージで個別に指定しても良い。また、移動局装置５００の送信装置の構成は、図２の送信装置２００ａと同じものを用いることができる。
なお、図１３において、その他の移動局装置５００の構成は、本実施形態に関係ないため、その説明を省略する。【００９１】
図１４は、本発明の第２の実施形態による基地局装置６００が備える送信装置４００ｂの構成を示す概略ブロック図である。送信装置４００ｂは、ギャップ制御メッセージ生成部４１１、周辺セル情報管理部４０２、送信信号処理部４０３、送信部４０４、アンテナＡ４を備えている。
送信装置４００ｂの構成が、送信装置４００ａ（図４）の構成と同様の部分については、同一の符号を付してそれらの説明を省略する。【００９２】
ギャップ制御メッセージ生成部４１１に、移動局装置５００からのギャップリクエストに基づく検索結果情報が入力される以外は、図４と同じである。
検索結果情報とは、上述したギャップ拒否の理由情報や、ＣＳＧセルの自律検出のための更新情報などの情報である。【００９３】
ギャップ制御メッセージ生成部４１１は、入力されたギャップ可否情報と検索結果情報と、必要であれば周辺セル情報管理部４０２からの周辺セル情報とに基づき、ギャップ制御メッセージを生成する。以降の処理は図４と同じである。
なお、第２の実施形態による基地局装置６００の受信装置の構成は、図３の受信装置３００ａと同じものを用いることができる。また、図１４において、その他の基地局装置６００の構成は、本実施形態に関係ないため、その説明を省略する。【００９４】
図１５は、本発明の第２の実施形態におけるＣＳＧセル測定のためのギャップリクエスト処理について示したシーケンス図である。図１５は、移動局装置５００は、ソースセルの基地局装置６００と通信中（アクティブ状態）の状態を示している。
また、図１５のシーケンス図は、移動局装置５００からのギャップリクエストがソースセルで許可された場合を示している。また、送受信時のリソース割当て処理などは省略してある。
移動局装置５００がギャップリクエストを送信し、ソースセルでギャップリクエストに基づきＣＳＧセルを検索するまでの処理（ステップＳ５０１〜Ｓ５０３）は、図５のステップＳ３０１〜Ｓ３０３の処理と同じであるため説明を省略する。
ソースセルは、ＣＳＧセルが周辺セルとして配置されていた場合、周辺セルを検索した結果の情報を基に、最適なギャップスケジューリングを行う（ステップＳ５０４）。
最適なギャップスケジューリングとは、ＣＳＧセルの同期チャネルや報知情報チャネルの送信タイミングに一致するように、ギャップ長やギャップ数などを設定することである。これらの設定は、ＣＳＧセル情報の他、トラフィック量やリソース利用効率などのスケジュール情報に基づいて、ソースセルが行う。【００９５】
ソースセルは、ギャップ制御メッセージにギャップ許可の情報と、ギャップスケジューリングを示すギャップ情報と、必要に応じて検索結果情報とを含めて移動局装置５００に送信する（ステップＳ５０５）。
ギャップ制御メッセージを受信した移動局装置５００は、ギャップ制御メッセージ内容の指示に従い必要であれば自端末が登録されたＣＳＧセル情報を更新し、指示されたギャップ区間中に、自端末が登録されたＣＳＧセルの測定を開始する（ステップＳ５０６）。ステップＳ５０６の処理を、ギャップ制御メッセージ処理と称する。【００９６】
図１６は、本発明の第２の実施形態におけるＣＳＧセル測定のためのギャップリクエスト処理について示した別のシーケンス図である。図１６は、移動局装置５００は、ソースセルの基地局装置６００と通信中（アクティブ状態）の状態を示している。
また、図１６のシーケンス図では、移動局装置５００からのギャップリクエストが、ソースセルで拒否された場合を示している。また、送受信時のリソース割当て処理などは省略している。
移動局装置５００がギャップリクエストを送信し、ソースセルにてギャップリクエストに基づきＣＳＧセルを検索するまでの処理（ステップＳ６０１、Ｓ６０２、Ｓ６０３）は、図１５のステップＳ５０１、Ｓ５０２、Ｓ５０３の処理と同じであるため説明を省略する。【００９７】
ソースセルは、ＣＳＧセルが周辺セルに含まれないなどの理由によってギャップを生成できないと判定した場合、ギャップ制御メッセージにギャップ拒否の情報と、必要に応じて検索結果情報とを含めて移動局装置５００に送信する（ステップＳ６０４）。
ギャップ制御メッセージを受信した移動局装置５００は、メッセージ内容の指示に従い、必要であれば自端末が登録されたＣＳＧセル情報を更新する。そして、移動局装置５００は、ギャップリクエストが拒否されたことを知り、現在のスケジューリングに従った受信制御を継続する（ステップＳ６０５）。ステップＳ６０４の処理を、ギャップ制御メッセージ処理とも称する。【００９８】
図１７は、本発明の第２の実施形態による移動局装置５００におけるギャップ制御メッセージ受信後の処理を示したフローチャートである。ステップＳ２１〜Ｓ２４までの処理は、図８と同じであるため、同じ符号を用いて説明を省略する。【００９９】
移動局装置５００は、ステップＳ２４の処理後、またはステップＳ２２でギャップが許可されなかったとき、ステップＳ２５の処理を行う。つまり、移動局装置５００は、ギャップ制御メッセージに、ＣＳＧセルの更新情報が含まれているか否かを判定する（ステップＳ２５）。
更新情報が含まれていた場合、移動局装置５００は、登録されていたＣＳＧセル情報を更新し（ステップＳ２６）、図１７に示すフローチャートの処理を終了する。更新情報が含まれていない場合は、移動局装置５００は、図１７のフローチャートの処理を終了する。
なお、図１７のフローチャートは、移動局装置５００の処理の一例であり、これに限定されるものではない。移動局装置５００が基地局装置６００からＣＳＧセルの検索結果情報を取得し、自端末が登録されたＣＳＧセル情報を更新する方法であれば、これ以外の方法を用いても良い。【０１００】
図１８は、本発明の第２の実施形態による基地局装置６００におけるギャップ制御メッセージの生成処理を示したフローチャートである。ステップＳ４１〜Ｓ４３までの処理は、図１０と同じであるため、同じ符号を用いて説明を省略する。【０１０１】
基地局装置６００は、ステップＳ４３の処理後、またはステップＳ４１でギャップが拒否されていたとき、ステップＳ４６の処理を行う。つまり、ギャップリクエストの判定結果と、指定されたＣＳＧセルの検索結果とに基づいて、必要な検索結果情報を生成する（ステップＳ４６）。
そして、検索結果情報と、ギャップが許可されていたときはステップＳ４３のギャップスケジューリングの情報とを含むギャップ制御メッセージを、基地局装置６００は生成する（ステップＳ４７）。【０１０２】
なお、図１８のフローチャートは、基地局装置６００の処理の一例であり、これに限定されるものではない。移動局装置５００が指定したＣＳＧセルの検索結果情報と、検索結果に基づいたギャップ要求の判定結果とを含むメッセージを、移動局装置５００に送信するのであれば、これ以外の処理を用いても良い。【０１０３】
図１９は、本発明の第２の実施形態による基地局装置６００がギャップリクエスト受信後、ＣＳＧセルが検出されなかった場合に、検索を継続する処理を示すシーケンス図である。
図１９に示す処理は、例えば、電源がオフであったＣＳＧセルが、再度、電源がオンになった場合などに有効である。図１９において、各処理およびメッセージの多くは、図１５や図１６と同じである。【０１０４】
始めに、移動局装置５００は、自端末が登録されたＣＳＧセルのエリア内に位置することを検出する（ステップＳ７０１）。
そして、ＣＳＧセルエリアであることを検出した移動局装置５００で、かつＣＳＧセル測定のためにギャップが必要な移動局装置５００は、ギャップリクエスト情報とＣＳＧセル情報とをギャップリクエストメッセージに含めて、ソースセルの基地局装置６００に送信する（ステップＳ７０２）。
そして、ソースセルの基地局装置６００は、指定されたＣＳＧセルを周辺セルから検索する（ステップＳ７０３）。
そして、ソースセルの基地局装置６００は、ギャップを拒否する場合は、ギャップ拒否と、必要であれば検索結果情報とを含むギャップ制御メッセージを、移動局装置５００に送信する（ステップＳ７０４）。
そして、ギャップ制御メッセージを受信した移動局装置５００は、ギャップ制御メッセージ処理を行う（ステップＳ７０５）。【０１０５】
一方、ソースセルの基地局装置６００は、ギャップを拒否した場合は、時間Ｔ１の周期で、ＣＳＧセルの検索を継続する（ステップＳ７０６）。
そして、ソースセルの基地局装置６００は、ギャップを許可する場合に、ギャップスケジューリングの最適化を行う（ステップＳ７０７）。
そして、ソースセルの基地局装置６００は、ギャップ許可とギャップ情報とを含むギャップ制御メッセージを、移動局装置５００に送信する（ステップＳ７０８）。
そして、移動局装置５００は、ギャップ制御メッセージ処理を行う（ステップＳ７０９）。【０１０６】
ここで、ソースセルの基地局装置６００は、ＣＳＧセル検索を実行した結果、ギャップ拒否であると判定した場合に、ある所定の時間Ｔ１を計時するタイマを起動する（ステップＳ７０３）。
時間Ｔ１の長さは、固定値でも良いし、ギャップの拒否理由やトラフィック量などに基づいて変動させても良い。
基地局装置６００は、時間Ｔ１が満了した後に、移動局装置５００から通知されたＣＳＧセルを再度検索する（ステップＳ７０６）。図１９では、ステップＳ７０６のＣＳＧセル検索においてＣＳＧセルが検出された場合を示しているが、検出されない場合は再度タイマを起動し、同様の処理を繰り返す。【０１０７】
再度タイマを起動するとき、タイマの満了時間はＴ１と異なっていても良い。例えば、検出試行回数に応じて所定の時間だけ満了時間が延長されるようにしても良い。また、検出試行回数に応じて時間Ｔ１がｎ倍（例えばｎ＝２、３、・・・）となるようにしても良い。
ＣＳＧセルが検出されたとき、または移動局装置５００がソースセル以外に移動したときは、タイマを停止し、タイマの満了時間が変更されていた場合は、所定の初期値に戻す。一定時間経過してもＣＳＧセルが検出されないときは、タイマを停止するか、数時間に１回などの低頻度の周期に切り換えてＣＳＧセル検索を継続する。
図１９に示す処理により、移動局装置５００は、ＣＳＧセルの測定が可能となった時点でギャップ情報が通知されるため、無駄な測定が抑制され、より最適な測定制御を実行できる。【０１０８】
本実施形態によれば、基地局装置６００は、移動局装置５００からのギャップリクエストに対する応答メッセージに、移動局装置５００のＣＳＧセルの更新情報を含めることができる。
また、ギャップ拒否の場合に、その理由を通知することができる。移動局装置５００は、これらの情報を用いて以降の測定制御を適切に行うことができる。【０１０９】
本実施形態により、第１の実施形態の効果に加えて、以下の効果が得られる。つまり、基地局装置６００は、ギャップリクエストの応答メッセージに、移動局装置５００のＣＳＧセルの検索結果情報（更新情報、ギャップ拒否理由など）を含めることが可能となる。そして、移動局装置５００は、検索結果情報を考慮して、自端末が登録されたＣＳＧセル情報を更新するため、以降のＣＳＧセルの検出精度、および測定効率を向上させることができる。【０１１０】
（第３の実施形態）
次に、本発明の第３の実施形態について説明する。第３の実施形態による移動通信システムは、第１の実施形態と同様に、移動局装置５００と基地局装置６００とを備えている。
しかし、第３の実施形態では、移動局装置５００が、受信装置１００ａ（図１Ｂ）の代わりに、受信装置１００ｃ（図２０）を備えている点において、第１の実施形態と相違する。また、第３の実施形態では、移動局装置５００が、送信装置２００ａ（図２）の代わりに、送信装置２００ｃ（図２１）を備えている点において、第１の実施形態と相違する。
また、第３の実施形態では、基地局装置６００が、受信装置３００ａ（図３）の代わりに、受信装置３００ｃ（図２２）を備えている点において、第１の実施形態と相違する。また、第３の実施形態では、基地局装置６００が、送信装置４００ａ（図４）の代わりに、送信装置４００ｃ（図２３）を備えている点において、第１の実施形態と相違する。
第３の実施形態では、移動局装置５００がＣＳＧセルの測定時において、所定時間あるいは所定回数検出を試みてもＣＳＧセルが検出されなかったときに、基地局装置６００にＣＳＧセル情報を送信する。そして、そのＣＳＧセルを、基地局装置６００が検索する。【０１１１】
すでに説明したように、移動局装置５００は、自律検出によって、自端末が登録されたＣＳＧセルエリアに入ったと判定する。そして、移動局装置５００は、間欠受信中や待ち受け中などで、ギャップ区間がなくても、自端末が登録されたＣＳＧセルを測定可能な状態にある場合、任意のタイミングでＣＳＧセルの検出を試みる。
しかしながら、ＣＳＧセルエリアの自律検出が誤っていた場合、またはＣＳＧセルエリアの自律検出が正しい場合でもＣＳＧセルの移動や電源オフなどの理由で検出されない場合がある。また、通信中のギャップ区間でのＣＳＧ測定においても、基地局装置６００が移動局装置５００のＣＳＧセルが周辺セルに位置するかを確認せずにギャップの生成を許可する場合、同様の理由によって、ＣＳＧセルが検出できない場合がある。【０１１２】
そこで、所定時間または所定回数の検出を試行しても、自端末が登録されたＣＳＧセルが検出されない場合、移動局装置５００は、自端末が登録されたＣＳＧセルが周辺セルに位置するか否かについての検索要求、または自律検出した結果が正しいか否かについて問い合わせるための検索要求を、基地局装置６００に対して送信する。
基地局装置６００は、検索要求に含まれる移動局装置５００のＣＳＧセル情報に基づき、周辺セルを検索し、該当するＣＳＧセルの有無や状態についての検索結果情報を取得する。検索結果情報には、更新情報や、未検出の理由などが含まれる。【０１１３】
更新情報は、移動局装置５００の自律検出を補正するための情報であり、例えば、該当ＣＳＧセルに対応する周辺セルのセルＩＤやＧＰＳ情報などである。
未検出の理由とは、該当ＣＳＧセルの状態に関する情報であり、例えば、（１）セル未検出、（２）セル未応答、（３）セル未確認、などである。これらは、第２の実施形態におけるギャップ拒否理由と同じである。なお、これら以外の未検出理由が存在することもある。
基地局装置６００は、これらの情報を、測定制御メッセージに含めて移動局装置５００に送信する。移動局装置５００は、測定制御メッセージを受信し、その測定制御メッセージ内容に基づき適切な制御を開始する。【０１１４】
図２０は、本発明の第３の実施形態による移動局装置５００が備える受信装置１００ｃの構成を示す概略ブロック図である。受信装置１００ｃは、受信部１０１、受信信号処理部１０２、位置検出部１０３、ＣＳＧセル情報登録部１０４、検索結果判定部１０５を備えている。
受信装置１００ｃの構成が、受信装置１００ａ（図１Ｂ）の構成と同様の部分については、同一の符号を付してそれらの説明を省略する。
また、受信装置１００ｃがＣＳＧセルの通信エリアに入ったか否かの判定については、第１の実施形態の図１Ｂと同じであるため説明を省略する。
同様に、ギャップ制御メッセージを受信したときの処理は、第２の実施形態の図１３で説明した処理と同じであるため説明を省略する。【０１１５】
図１Ｂで説明したように、自端末が登録されたＣＳＧセルの通信エリアに入ったと判定した場合であって、ＣＳＧセルの測定をギャップ区間なしに測定できる場合、あるいは、ギャップリクエストの応答メッセージとして、基地局装置６００から指示されたギャップ情報に基づきＣＳＧセルを測定している場合、ＣＳＧセルの測定結果が、測定情報として受信信号処理部１０２から位置検出部１０３に入力される。
ここで、測定情報に含まれるＣＳＧセルの同期チャネルが検出されない場合、または下りリファレンス信号の受信品質が極めて低レベルである場合、ＣＳＧセルの測定に失敗したと判定する。【０１１６】
位置検出部１０３は、測定の失敗が所定時間継続した場合、または所定回数連続して検出の失敗を繰り返した場合、またはギャップ区間の有効時間が満了した場合に、ＣＳＧセル検索要求情報を出力する。また、受信信号が測定制御メッセージであったとき、受信信号処理部１０２は、メッセージから測定制御情報を取得し、検索結果判定部１０５に測定制御情報を出力する。【０１１７】
検索結果判定部１０５は、測定制御情報に含まれる各情報に基づき、必要であれば登録してあるＣＳＧセル情報を更新するための情報を、ＣＳＧセル情報登録部１０４に出力する。ＣＳＧセル情報登録部１０４は、ＣＳＧセルエリアを特定するための登録情報の更新情報が入力されたとき、登録情報を更新する。登録情報は、周辺セルのセルＩＤやＧＰＳ情報などである。
更に、検索結果判定部１０５は、必要であればＣＳＧセル測定のための再測定情報を受信部１０１に出力する。【０１１８】
受信部１０１は、再測定情報に応じてＣＳＧセルの再測定を行う。例えば、ＣＳＧセル未検出のときで、その理由がセル未応答であれば、所定の時間経過後に再度測定を試みる。理由がセル未検出であれば、測定を中止して、自端末が登録されたＣＳＧセルエリアの検索処理を再度やり直す。
これら未検出の理由に対応する制御パラメータは、事前に報知情報で移動局装置５００に通知しても良いし、測定制御メッセージで個別に指定しても良い。【０１１９】
図２１は、本発明の第３の実施形態による移動局装置５００の送信装置２００ｃの構成を示す概略ブロック図である。送信装置２００ｃは、ギャップリクエスト生成部２０１、ＣＳＧセル情報登録部２０２、送信信号処理部２０３、送信部２０４、ＣＳＧセル検索要求生成部２０５、アンテナＡ２を備えている。
送信装置２００ｃの構成が、送信装置２００ａ（図２）の構成と同様の部分については、同一の符号を付してそれらの説明を省略する。【０１２０】
図２０の位置検出部１０３で生成されたギャップリクエスト情報が、送信装置２００ｃに入力された場合の処理は、第１の実施形態の図２と同じであるため説明を省略する。
ＣＳＧセル検索要求生成部２０５には、図２０の位置検出部１０３で生成されたＣＳＧセル検索要求情報が入力される。【０１２１】
ＣＳＧセル検索要求生成部２０５は、ＣＳＧセル情報登録部２０２から、自端末が登録されたＣＳＧセル情報を取得し、ＣＳＧセル情報を含めたＣＳＧセル検索要求メッセージを生成して、送信信号処理部２０３に出力する。なお、ＣＳＧセル情報登録部２０２を移動局装置５００に設けずに、図２０のＣＳＧセル情報登録部１０４から、自端末が登録されたＣＳＧセル情報を取得するようにしても良い。【０１２２】
送信信号処理部２０３は、ＣＳＧセル検索要求生成部２０５からのＣＳＧセル検索要求メッセージと、ギャップリクエスト生成部２０１からのギャップリクエスト信号と、その他の送信信号とに対して適切なスケジューリングを行う。
送信信号処理部２０３のスケジューリングに基づき出力されるデータは、送信部２０４において送信制御情報に従い、送信信号としてアンテナＡ２を介して出力される。
なお、図２０及び図２１において、その他の移動局装置５００の構成は、本実施形態に関係ないため、その説明を省略する。【０１２３】
図２２は、本発明の第３の実施形態による基地局装置６００が備える受信装置３００ｃの構成を示す概略ブロック図である。受信装置３００ｃは、受信部３０１、受信信号処理部３０２、ギャップリクエスト処理部３０３、周辺セル情報管理部３０４、検索要求処理部３０５、アンテナＡ３を備えている。
受信装置３００ｃの構成が、受信装置３００ａ（図３）の構成と同様の部分については、同一の符号を付してそれらの説明を省略する。【０１２４】
受信信号がギャップリクエストメッセージである場合の受信装置３００ｃの処理は、第１の実施形態の図３と同じであるため説明を省略する。受信信号がＣＳＧセル検索要求メッセージである場合、受信信号処理部３０２は、ギャップリクエストメッセージからＣＳＧセル情報を取り出して検索要求処理部３０５に出力する。また、検索要求処理部３０５には、周辺セル情報管理部３０４から周辺セル情報が入力される。【０１２５】
検索要求処理部３０５は、ＣＳＧセル情報と周辺セル情報とに基づき、移動局装置５００に対する測定制御情報を出力する。測定制御情報とは、移動局装置５００がＣＳＧセルを測定するための処理を指示する情報を含む。
例えば、周辺セル情報に移動局装置５００から通知されたＣＳＧセルが含まれている場合は、検索要求処理部３０５は、移動局装置５００に対してそのまま測定の継続を指示する。一方、含まれてない場合は、検索要求処理部３０５は、測定の中止を指示する。また、ＣＳＧセル情報の修正が必要な場合には、検索要求処理部３０５は、ＣＳＧセル情報の再設定を指示する。【０１２６】
図２３は、本発明の第３の実施形態による基地局装置６００の送信装置４００ｃの構成を示す概略ブロック図である。送信装置４００ｃは、ギャップ制御メッセージ生成部４０１、周辺セル情報管理部４０２、送信信号処理部４０３、送信部４０４、測定制御メッセージ生成部４０５、アンテナＡ４を備えている。
送信装置４００ｃの構成が、送信装置４００ａ（図４）の構成と同様の部分については、同一の符号を付してそれらの説明を省略する。【０１２７】
図２２のギャップリクエスト処理部３０３で生成されたギャップ可否情報が、送信装置４００ｃに入力される場合の処理は、第１の実施形態の図４と同じであるため説明を省略する。
測定制御メッセージ生成部４０５には、図２２の検索要求処理部３０５で生成された測定制御情報が入力される。【０１２８】
測定制御メッセージ生成部４０５は、入力された測定制御情報と、検索結果情報と、必要であれば周辺セル情報管理部４０２からの周辺セル情報とに基づき、測定制御メッセージを生成する。
測定制御情報で測定の中止が指示されていたときは、測定制御メッセージ生成部４０５は、測定制御の停止メッセージを生成する。また、現パラメータでの測定の継続が指示されていたときは、測定制御メッセージ生成部４０５は、処理を行わない。ＣＳＧセル情報の再設定が指示されていたときは、測定制御メッセージ生成部４０５は、検索結果情報と周辺セル情報から、必要な情報を取得して測定制御メッセージに含める。【０１２９】
送信信号処理部４０３は、ギャップ制御メッセージ生成部４０１からのギャップ制御メッセージと、測定制御メッセージ生成部４０５からの測定制御メッセージと、その他の送信信号とに対して、適切なスケジューリングを行う。
送信信号処理部４０３でのスケジューリングに基づき出力されるデータは、送信部４０４において送信制御情報に従い、送信信号としてアンテナＡ４を介して出力される。
なお、図２２及び図２３において、その他の基地局装置６００の構成は、本実施形態に関係しないため、その説明を省略する。【０１３０】
図２４は、本発明の第３の実施形態によるＣＳＧセル測定を要求するためのＣＳＧセル検索要求処理について示したシーケンス図である。ここでは、移動局装置５００が、ＣＳＧセルを測定するためにギャップが不要である場合について説明する。また、送受信時のリソース割当て処理などの説明は省略する。【０１３１】
まず、移動局装置５００は、自端末が登録されたＣＳＧセルのエリア内に位置すること検出する（ステップＳ８０１）。
そして、ＣＳＧセルエリアであることを検出した移動局装置５００は、任意のタイミングでＣＳＧセルの測定を開始する（ステップＳ８０２）。
ここで、ＣＳＧセルの測定結果が、同期チャネル（ＳＣＨ）の未検出や、低レベルの受信品質しか得られない場合であって、同様の測定結果が所定時間または所定回数だけ続いた場合には、移動局装置５００は、ＣＳＧセル検索要求メッセージを生成する。そして、移動局装置５００は、ＣＳＧセル検索要求メッセージに、該当するＣＳＧセル情報を少なくとも一つ含めてソースセルの基地局装置６００に送信する（ステップＳ８０３）。【０１３２】
ソースセルの基地局装置６００は、ＣＳＧセル検索要求メッセージを受信した場合、指定されたＣＳＧセルがソースセルの周辺セルに配置されているか否かについて検索する（ステップＳ８０４）。
ここで、周辺セルには、周波数や通信方式がソースセルと異なるセルも含まれる。検索方法としては、基地局装置６００が保持する周辺セル情報から検索しても良いし、周辺の基地局装置６００に該当するセルがあるか否かについて問い合わせても良い。【０１３３】
ソースセルの基地局装置６００は、ＣＳＧセルの検索結果と、必要であればＣＳＧセルの更新情報や未検出の理由などの一連の情報（検索結果情報）とを含めた測定制御メッセージを生成し、移動局装置５００に送信する（ステップＳ８０５）。
測定制御メッセージを受信した移動局装置５００は、メッセージ内容に従って、以降のＣＳＧセルの測定制御を決定する。
図２４における、移動局装置５００のＣＳＧセル測定の処理と、基地局装置６００のＣＳＧセル検索の処理の詳細を図２５と図２６に示す。【０１３４】
図２５は、本発明の第３の実施形態による移動局装置５００におけるＣＳＧセル測定処理を示したフローチャートである。
移動局装置５００は、ＣＳＧセルエリアと判定した後、ＣＳＧセルの測定スケジュールを決定し、その測定スケジュールに従って測定を行う（ステップＳ５１）。
測定処理後、移動局装置５００は、ＣＳＧセルの同期チャネル（ＳＣＨ）を検出したか否かについて判定する（ステップＳ５２）。ＣＳＧセルの同期チャネル（ＳＣＨ）を検出した場合は、移動局装置５００は、下りリファレンス信号の受信品質を測定し、所定の閾値ＴＨ１よりも大きいか否かについて判定する（ステップＳ５３）。【０１３５】
該当ＣＳＧセルの同期チャネル（ＳＣＨ）を検出し、かつ、下りリファレンス信号の受信品質が閾値ＴＨ１よりも大きい場合、次の測定実行スケジュールを決定し（ステップＳ５６）、測定処理を終了する。
同期チャネル（ＳＣＨ）を未検出の場合、または下りリファレンス信号の受信品質が閾値ＴＨ１以下の場合、検索試行回数をカウントする。そして、検索試行回数が、所定の閾値ＴＨ２を越えたか否かについて判定する（ステップＳ５４）。
検索試行回数が閾値ＴＨ２を越えていない場合は、次の測定実行スケジュールを決定し（ステップＳ５６）、測定処理を終了する。一方、検索試行回数が閾値ＴＨ２以上である場合は、ＣＳＧセル検索要求生成処理を行う（ステップＳ５５）。【０１３６】
なお、試行回数の代わりに測定時間を用いても良い。例えば、ＣＳＧセル測定を開始してから所定の時間以内にＣＳＧセルが検出されなかった場合に、移動局装置５００は、ＣＳＧセル検索要求を生成しても良い。ＣＳＧセル検索要求生成処理において、移動局装置５００は、ソースセルに通知するＣＳＧセル情報をＣＳＧセル検索要求メッセージに設定する。なお、閾値ＴＨ１と閾値ＴＨ２は、報知情報から取得するか、移動通信システムで一意に決まる値である。
なお、図２５のフローチャートは、移動局装置５００の処理の一例であり、これに限定されるものではない。ＣＳＧセルが検出されない場合に、移動局装置５００が自端末が登録されたＣＳＧセル情報を、基地局装置６００に通知する方法であれば、これ以外の処理を行っても良い。【０１３７】
図２６は、本発明の第３の実施形態による基地局装置６００におけるＣＳＧセル検索要求メッセージ受信後のＣＳＧセル検索処理を示したフローチャートである。
ソースセルの基地局装置６００は、ＣＳＧセル検索要求メッセージを受信した場合、ＣＳＧセル検索要求受信処理を行う（ステップＳ６１）。これにより、基地局装置６００は、ＣＳＧセル検索要求メッセージに含まれるＣＳＧセル情報を取得する。
続いて、基地局装置６００は、ＣＳＧセル情報が周辺セル情報に含まれているか否かについて検索する（ステップＳ６２）。周辺セル情報は、ソースセルの基地局装置６００が事前に保持していても良いし、メッセージ受信後に周辺セルを検索した結果から得た情報を用いても良い。【０１３８】
そして、基地局装置６００は、移動局装置５００から指定されたＣＳＧセルが、周辺セル情報に含まれているか否かについて判定する（ステップＳ６３）。移動局装置５００から指定されたＣＳＧセルが周辺セル情報に含まれていた場合は、基地局装置６００は、測定を継続して良いと判定する（ステップＳ６４）。一方、移動局装置５００から指定されたＣＳＧセルが周辺セル情報に含まれていない場合は、基地局装置６００は、測定中止と判定する（ステップＳ６５）。
そして、基地局装置６００は、測定継続または測定中止の判定結果と、必要に応じてＣＳＧセルの検索結果とを含めた測定制御メッセージを生成し（ステップＳ６６）、図２６のフローチャートの処理を終了する。【０１３９】
なお、図２６のフローチャートは、基地局装置６００の処理の一例であり、これに限定されるものではない。移動局装置５００が指定したＣＳＧセルの検索結果に基づいて、以降の移動局装置５００のＣＳＧセルの測定制御の指示と、検索結果情報を含むメッセージとを移動局装置５００に送信する方法であれば、これ以外の処理を行っても良い。【０１４０】
図２７は、本発明の第３の実施形態による基地局装置６００がギャップリクエスト受信後、ＣＳＧセルが検出されなかった場合に、検索を継続する場合のシーケンス図である。
図２７に示す処理は、電源がオフであったＣＳＧセルが、再度電源がオンになった場合などに有効である。図２７において、各処理およびメッセージの多くは図２４と同じである。【０１４１】
始めに、移動局装置５００は、自端末が登録されたＣＳＧセルのエリア内に位置することを検出する（ステップＳ９０１）。
そして、ＣＳＧセルエリアであることを検出した移動局装置５００であって、ＣＳＧセル測定のためにギャップが不要な移動局装置５００は、任意のタイミングでＣＳＧセルの測定を開始する（ステップＳ９０２）。
ここで、ＣＳＧセルの測定結果が、同期チャネル（ＳＣＨ）の未検出や低レベルの受信品質しか得られないときで、同様の測定結果が所定時間または所定回数だけ続いたときに、移動局装置５００は、ＣＳＧセル検索要求メッセージを生成する。そして、移動局装置５００は、ＣＳＧセル検索要求メッセージ内に、該当するＣＳＧセル情報を少なくとも一つ含めてソースセルの基地局装置６００に送信する（ステップＳ９０３）。
ソースセルの基地局装置６００は、ＣＳＧセル検索要求メッセージを受信した場合、指定されたＣＳＧセルが、ソースセルの周辺セルに配置されているか否かについて検索する（ステップＳ９０４）。
ここで、周辺セルには、周波数や通信方式がソースセルと異なるセルも含まれる。検索方法としては、基地局装置６００が保持する周辺セル情報から検索しても良いし、周辺の基地局装置６００に、該当するセルがあるか否かについて問い合わせても良い。【０１４２】
次に、ソースセルの基地局装置６００は、ＣＳＧセルの検索結果と、未検出の理由などの一連の情報（検索結果情報）とを含めた測定制御メッセージを、移動局装置５００に送信する（ステップＳ９０５）。
また、ソースセルの基地局装置６００は、ＣＳＧセルが未検出の場合に、時間Ｔ２の周期でＣＳＧセルの検索を継続する（ステップＳ９０６）。
そして、ソースセルの基地局装置６００は、ＣＳＧセルが検出された場合に、必要であればＣＳＧセルの更新情報とＣＳＧセルの検索結果情報とに基づく検索結果情報を含む測定制御メッセージを、移動局装置５００に送信する（ステップＳ９０７）。測定制御メッセージを受信した移動局装置５００は、測定制御メッセージの内容に従って、以降のＣＳＧセルの測定制御を決定する。【０１４３】
ここで、ソースセルの基地局装置６００は、ＣＳＧセル検索を実行した結果、ＣＳＧセルが未検出であった場合において、ある所定の時間Ｔ２を計時するタイマを起動する（ステップＳ９０４）。時間Ｔ２は、固定値であっても良いし、ＣＳＧセルの未検出理由やトラフィック量などを考慮して変動させても良い。
基地局装置６００は、時間Ｔ２が満了した後に移動局装置５００から通知されたＣＳＧセルを再度検索する（ステップＳ９０６）。図２７では、ステップＳ９０６のＣＳＧセル検索において、ＣＳＧセルが検出された場合を示しているが、検出されない場合は再度タイマを起動し、同様の処理を繰り返す。【０１４４】
再度タイマを起動するとき、タイマの満了時間はＴ２と異なっていても良い。例えば、検出試行回数に応じて所定の時間だけ満了時間を延長するようにしても良く、検出試行回数に応じて時間Ｔ２がｎ倍（例えばｎ＝２、３、・・・）となるようにしても良い。ＣＳＧセルが検出されたとき、または移動局装置５００がソースセル以外に移動したときは、基地局装置６００はタイマを停止し、タイマの満了時間が変更されていた場合は所定の初期値に戻す。一定時間経過してもＣＳＧセルが検出されないときは、基地局装置６００は、タイマを停止するか、数時間に１回などの低頻度の周期に切り換えてＣＳＧセル検索を継続する。
図２７に示した処理により、移動局装置５００には、ＣＳＧセルの測定が可能となった時点で検索結果情報が通知されるため、無駄な測定が抑制され、より最適な測定制御が実行できる。【０１４５】
本実施形態で移動局装置５００が送信するＣＳＧセル検索要求メッセージのデータ構造としては、図１１Ａ、図１１Ｂ、図１２のいずれを用いることもできる。
なお、基地局装置６００が、ＣＳＧセル検索要求であることを判定可能であり、そのために必要なＣＳＧセル情報を含めることが可能であれば、図１１Ａ、図１１Ｂ、図１２のデータ構造と異なっていても良い。【０１４６】
本実施形態によれば、移動局装置５００は、自端末が登録されたＣＳＧセルエリアに入ったと判定したにも関わらず、該当ＣＳＧセルが検出されないときに、基地局装置６００に対して、自端末が登録されたＣＳＧセル情報を通知することができる。
また、基地局装置６００は、移動局装置５００のＣＳＧセルが周辺のエリアに配置されているか否かを判定することができ、その結果を移動局装置５００に通知することができる。
また、移動局装置５００のＣＳＧセルの更新情報を含めることができる。
また、ＣＳＧセルを未検出の場合に、その理由を通知することができる。移動局装置５００は、これらの情報を用いて、以降の測定制御を適切に行うことができる。【０１４７】
本実施形態により、移動局装置５００は、ギャップが不要の場合であっても、自端末が登録されたＣＳＧセルを測定するのための情報を、基地局装置６００に送信することが可能となる。そして、基地局装置６００に通知したＣＳＧセルが、周辺セルとして配置されているか否かについて基地局装置６００が確認することで、移動局装置５００のＣＳＧセルエリアの検出誤りなどによる不要な測定が抑制され、移動局装置５００の電力消費量を削減することができる。
また、基地局装置６００は、測定制御メッセージに移動局装置５００のＣＳＧセルの検索結果情報（更新情報、未検出の理由など）を含めることが可能となる。移動局装置５００は、検索結果情報を考慮して、自端末が登録されたＣＳＧセル情報を更新するため、以降のＣＳＧセルの検出精度、および測定効率を向上させることができる。【０１４８】
なお、以上説明した実施形態において、移動局装置５００が備える送信装置（図２、図２１）や受信装置（図１Ｂ、図１３、図２０）の各部の機能、又は、基地局装置６００が備える送信装置（図４、図１４、図２３）や受信装置（図３、図２２）の各部の機能又はこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行っても良い。なお、ここでいう「コンピュータシステム」とは、ＯＳや周辺機器等のハードウェアを含む。【０１４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含む。また上記プログラムは、前述した機能の一部を実現するためのものであっても良く、さらに前述した機能をコンピュータシステムにすでに記録されているプログラムとの組み合わせで実現できるものであっても良い。【０１５０】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１５１】
本発明は、小型基地局装置の検出精度の向上と消費電力の削減を図り、無線リソースの利用効率を向上させることができる移動通信システム、基地局装置、移動局装置及び移動通信方法などに適用できる。
【図１Ａ】
2009116427.tif 000003
【図１Ｂ】
2009116427.tif 000004
【図２】
2009116427.tif 000005
【図３】
2009116427.tif 000006
【図４】
2009116427.tif 000007
【図５】
2009116427.tif 000008
【図６】
2009116427.tif 000009
【図７】
2009116427.tif 000010
【図８】
2009116427.tif 000011
【図９】
2009116427.tif 000012
【図１０】
2009116427.tif 000013
【図１１Ａ】
2009116427.tif 000014
【図１１Ｂ】
2009116427.tif 000015
【図１２】
2009116427.tif 000016
【図１３】
2009116427.tif 000017
【図１４】
2009116427.tif 000018
【図１５】
2009116427.tif 000019
【図１６】
2009116427.tif 000020
【図１７】
2009116427.tif 000021
【図１８】
2009116427.tif 000022
【図１９】
2009116427.tif 000023
【図２０】
2009116427.tif 000024
【図２１】
2009116427.tif 000025
【図２２】
2009116427.tif 000026
【図２３】
2009116427.tif 000027
【図２４】
2009116427.tif 000028
【図２５】
2009116427.tif 000029
【図２６】
2009116427.tif 000030
【図２７】
2009116427.tif 000031
【図２８】
2009116427.tif 000032
【図２９】
2009116427.tif 000033
【手続補正書】
【提出日】平成22年8月5日(2010.8.5)
【手続補正１】
【補正対象書類名】明細書
【補正対象項目名】００１１
【補正方法】変更
【補正の内容】
【００１１】
（１）  本発明は、上記課題を解決するためになされたもので、本発明の一態様による移動通信システムは、移動局装置と、前記移動局装置が通信中の第１の基地局装置と、登録によってアクセス可能なユーザを制限した第２の基地局装置とを備える移動通信システムであって、前記移動局装置は、前記移動局装置が登録されている前記第２の基地局装置のセルのエリア内であることを検出した場合に、前記第２の基地局装置のセルの情報を前記第１の基地局装置に送信し、前記第１の基地局装置は、受信した前記第２の基地局装置のセルの情報と前記第１の基地局装置が保持する周辺セル情報とに基づき、前記移動局装置に対して、前記移動局装置が前記第２の基地局装置のセルを測定するために必要とされる制御情報を更新可能である。
【手続補正２】
【補正対象書類名】明細書
【補正対象項目名】００１２
【補正方法】変更
【補正の内容】
【００１２】
（２）  また、本発明の一態様による移動通信システムの前記第２の基地局装置のセルの情報は、前記第２の基地局装置のセルの周波数を含んでいても良い。
【手続補正３】
【補正対象書類名】明細書
【補正対象項目名】００１３
【補正方法】変更
【補正の内容】
【００１３】
（３）  また、本発明の一態様による移動通信システムの前記移動局装置は、前記第２の基地局装置のセルを測定するために必要とされる制御情報を更新し、前記制御情報に基づいて前記第２の基地局装置のセルの測定を行っても良い。
【手続補正４】
【補正対象書類名】明細書
【補正対象項目名】００１４
【補正方法】変更
【補正の内容】
【００１４】
（４）  また、本発明の一態様による移動通信システムの前記第１の基地局装置は、受信した前記第２の基地局装置のセルの情報と前記第１の基地局装置が保持する周辺セル情報とに基づき、前記移動局装置に対して、前記移動局装置が前記第２の基地局装置のセルを測定するためのギャップを設定しても良い。
【手続補正５】
【補正対象書類名】明細書
【補正対象項目名】００１５
【補正方法】変更
【補正の内容】
【００１５】
（５）  また、本発明の一態様による移動通信システムの前記第２の基地局装置のセルはＣＳＧセルであっても良い。
【手続補正６】
【補正対象書類名】明細書
【補正対象項目名】００１６
【補正方法】変更
【補正の内容】
【００１６】
（６）  また、本発明の一態様による移動局装置は、第１の基地局装置と通信する移動局装置であって、該移動局装置が登録されている第２の基地局装置のセルのエリア内であることを検出した場合に、前記第２の基地局装置のセルの情報を前記第１の基地局装置に送信し、受信した前記第２の基地局装置のセルの情報と前記第１の基地局装置が保持する周辺セル情報とに基づいて前記第１の基地局装置によって更新された、前記移動局装置が前記第２の基地局装置のセルを測定するために必要とされる制御情報に基づき、前記第２の基地局装置のセルの測定を行う。
【手続補正７】
【補正対象書類名】明細書
【補正対象項目名】００１７
【補正方法】変更
【補正の内容】
【００１７】
（７）  また、本発明の一態様による基地局装置は、移動局装置と通信する基地局装置であって、該移動局装置が登録されている他の基地局装置のセルのエリア内であることを検出した場合に前記移動局装置から送信される前記他の基地局装置のセルの情報を受信し、受信した前記他の基地局装置のセルの情報と保持する周辺セル情報とに基づき、前記移動局装置に対して、前記移動局装置が前記第２の基地局装置のセルを測定するために必要とされる制御情報を更新可能である。
【手続補正８】
【補正対象書類名】明細書
【補正対象項目名】００１８
【補正方法】変更
【補正の内容】
【００１８】
（８）  また、本発明の一態様による移動通信方法は、移動局装置と、前記移動局装置が通信中の第１の基地局装置と、登録によってアクセス可能なユーザを制限した第２の基地局装置を用いた移動通信方法であって、前記移動局装置は、前記移動局装置が登録されている前記第２の基地局装置のセルのエリア内であることを検出した場合に、前記第２の基地局装置のセルの情報を前記第１の基地局装置に送信し、前記第１の基地局装置は、受信した前記第２の基地局装置のセルの情報と前記第１の基地局装置が保持する周辺セル情報とに基づき、前記移動局装置に対して、前記移動局装置が前記第２の基地局装置のセルを測定するために必要とされる制御情報を更新可能である。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００５７
【補正方法】変更
【補正の内容】
【００５７】
ギャップ制御メッセージ生成部４０１には、図３のギャップリクエスト処理部３０３で生成されたギャップ可否情報が入力される。
ギャップ可否情報において、ギャップ許可の情報が含まれていた場合、ギャップ制御メッセージ生成部４０１は、周辺セル情報管理部４０２からギャップリクエストに含まれていた該当移動局装置５００のＣＳＧセルに対応する周辺セル情報を取得する。なお、周辺セル情報管理部４０２を設けずに、図３の周辺セル情報管理部３０４から周辺セル情報を取得するようにしても良い。
ギャップ制御メッセージ生成部４０１は、周辺セル情報を考慮した最適なギャップ情報を判定し、ギャップ許可とギャップ情報とを含めたギャップ制御メッセージを生成して、送信信号処理部４０３に出力する。
一方、ギャップ拒否の情報が含まれていた場合は、ギャップ制御メッセージ生成部４０１は、ギャップ拒否を示す情報を含めたギャップ制御メッセージを生成して、送信信号処理部４０３に出力する。
【手続補正２５】
【補正対象書類名】特許請求の範囲
【補正対象項目名】全文
【補正方法】変更
【補正の内容】
【特許請求の範囲】
【請求項１】
移動局装置と、前記移動局装置が通信中の第１の基地局装置と、登録によってアクセス可能なユーザを制限した第２の基地局装置とを備える移動通信システムであって、
前記移動局装置は、
前記移動局装置が登録されている前記第２の基地局装置のセルのエリア内であることを検出した場合に、前記第２の基地局装置のセルの情報を前記第１の基地局装置に送信し、
前記第１の基地局装置は、
受信した前記第２の基地局装置のセルの情報と前記第１の基地局装置が保持する周辺セル情報とに基づき、前記移動局装置に対して、前記移動局装置が前記第２の基地局装置のセルを測定するために必要とされる制御情報を更新可能であることを特徴とする移動通信システム。
【請求項２】
前記第２の基地局装置のセルの情報は、前記第２の基地局装置のセルの周波数を含むことを特徴とする請求項１に記載の移動通信システム。
【請求項３】
前記移動局装置は、
前記第２の基地局装置のセルを測定するために必要とされる制御情報を更新し、前記制御情報に基づいて前記第２の基地局装置のセルの測定を行うことを特徴とする請求項１または請求項２に記載の移動通信システム。
【請求項４】
前記第１の基地局装置は、
受信した前記第２の基地局装置のセルの情報と前記第１の基地局装置が保持する周辺セル情報とに基づき、前記移動局装置に対して、前記移動局装置が前記第２の基地局装置のセルを測定するためのギャップを設定することを特徴とする請求項１から請求項３の何れかに記載の移動通信システム。
【請求項５】
前記第２の基地局装置のセルはＣＳＧセルであることを特徴とする請求項１から請求項４の何れかに記載の移動通信システム。
【請求項６】
第１の基地局装置と通信する移動局装置であって、
該移動局装置が登録されている第２の基地局装置のセルのエリア内であることを検出した場合に、前記第２の基地局装置のセルの情報を前記第１の基地局装置に送信し、
受信した前記第２の基地局装置のセルの情報と前記第１の基地局装置が保持する周辺セル情報とに基づいて前記第１の基地局装置によって更新された、前記移動局装置が前記第２の基地局装置のセルを測定するために必要とされる制御情報に基づき、前記第２の基地局装置のセルの測定を行うことを特徴とする移動局装置。
【請求項７】
移動局装置と通信する基地局装置であって、
該移動局装置が登録されている他の基地局装置のセルのエリア内であることを検出した場合に前記移動局装置から送信される前記他の基地局装置のセルの情報を受信し、
受信した前記他の基地局装置のセルの情報と保持する周辺セル情報とに基づき、前記移動局装置に対して、前記移動局装置が前記第２の基地局装置のセルを測定するために必要とされる制御情報を更新可能であることを特徴とする基地局装置。
【請求項８】
移動局装置と、前記移動局装置が通信中の第１の基地局装置と、登録によってアクセス可能なユーザを制限した第２の基地局装置を用いた移動通信方法であって、
前記移動局装置は、
前記移動局装置が登録されている前記第２の基地局装置のセルのエリア内であることを検出した場合に、前記第２の基地局装置のセルの情報を前記第１の基地局装置に送信し、
前記第１の基地局装置は、
受信した前記第２の基地局装置のセルの情報と前記第１の基地局装置が保持する周辺セル情報とに基づき、前記移動局装置に対して、前記移動局装置が前記第２の基地局装置のセルを測定するために必要とされる制御情報を更新可能であることを特徴とする移動通信方法。
【手続補正書】
【提出日】平成22年11月2日(2010.11.2)
【手続補正１】
【補正対象書類名】明細書
【補正対象項目名】００１１
【補正方法】変更
【補正の内容】
【００１１】
（１）  本発明は、上記課題を解決するためになされたもので、本発明の一態様による移動通信システムは、移動局装置と、前記移動局装置が通信中の第１の基地局装置と、前記移動局装置がアクセスするために前記移動局装置に登録された第２の基地局装置とを備える移動通信システムであって、前記移動局装置は、前記移動局装置に登録されている前記第２の基地局装置のセルを測定できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、前記第１の基地局装置は、受信した前記第２の基地局装置のセルの情報と前記第１の基地局装置が保持する周辺セル情報とに基づき、前記第２の基地局装置のセルを測定できない前記移動局装置に対して、前記移動局装置が前記第２の基地局装置のセルを測定するために必要とされる制御情報を更新する。
【手続補正２】
【補正対象書類名】明細書
【補正対象項目名】００１４
【補正方法】変更
【補正の内容】
【００１４】
（４）  また、本発明の一態様による移動通信システムの前記第１の基地局装置は、受信した前記第２の基地局装置のセルの情報と前記第１の基地局装置が保持する周辺セル情報とに基づき、前記第２の基地局装置のセルを測定できない前記移動局装置に対して、前記移動局装置が前記第２の基地局装置のセルを測定するためのギャップを設定しても良い。
【手続補正３】
【補正対象書類名】明細書
【補正対象項目名】００１６
【補正方法】変更
【補正の内容】
【００１６】
（６）  また、本発明の一態様による移動局装置は、第１の基地局装置と通信する移動局装置であって、該移動局装置に登録されている第２の基地局装置のセルを測定できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、前記第２の基地局装置のセルを測定できない場合に前記第１の基地局装置によって更新された、前記移動局装置が前記第２の基地局装置のセルを測定するために必要とされる制御情報に基づき、前記第２の基地局装置のセルの測定を行う。
【手続補正４】
【補正対象書類名】明細書
【補正対象項目名】００１７
【補正方法】変更
【補正の内容】
【００１７】
（７）  また、本発明の一態様による基地局装置は、移動局装置と通信する基地局装置であって、前記移動局装置がアクセスするために前記移動局装置に登録されている他の基地局装置のセルを測定できない場合であっても、前記他の基地局装置のセルのエリア内であることを自律的に検出した場合に、前記移動局装置に予め登録してある前記他の基地局装置のセルのリストの情報に基づいて、前記移動局装置から送信される前記他の基地局装置のセルの情報を受信し、受信した前記他の基地局装置のセルの情報と保持する周辺セル情報とに基づき、前記他の基地局装置のセルを測定できない前記移動局装置に対して、前記移動局装置が前記他の基地局装置のセルを測定するために必要とされる制御情報を更新する。
【手続補正５】
【補正対象書類名】明細書
【補正対象項目名】００１８
【補正方法】変更
【補正の内容】
【００１８】
（８）  また、本発明の一態様による移動通信方法は、移動局装置と、前記移動局装置が通信中の第１の基地局装置と、前記移動局装置がアクセスするために前記移動局装置に登録された第２の基地局装置を用いた移動通信方法であって、前記移動局装置は、前記移動局装置に登録されている前記第２の基地局装置のセルを測定できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、前記第１の基地局装置は、受信した前記第２の基地局装置のセルの情報と前記第１の基地局装置が保持する周辺セル情報とに基づき、前記第２の基地局装置のセルを測定できない前記移動局装置に対して、前記移動局装置が前記第２の基地局装置のセルを測定するために必要とされる制御情報を更新する。
【手続補正６】
【補正対象書類名】特許請求の範囲
【補正対象項目名】全文
【補正方法】変更
【補正の内容】
【特許請求の範囲】
【請求項１】
移動局装置と、前記移動局装置が通信中の第１の基地局装置と、前記移動局装置がアクセスするために前記移動局装置に登録された第２の基地局装置とを備える移動通信システムであって、
前記移動局装置は、
前記移動局装置に登録されている前記第２の基地局装置のセルを測定できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、
前記第１の基地局装置は、
受信した前記第２の基地局装置のセルの情報と前記第１の基地局装置が保持する周辺セル情報とに基づき、前記第２の基地局装置のセルを測定できない前記移動局装置に対して、前記移動局装置が前記第２の基地局装置のセルを測定するために必要とされる制御情報を更新することを特徴とする移動通信システム。
【請求項２】
前記第２の基地局装置のセルの情報は、前記第２の基地局装置のセルの周波数を含むことを特徴とする請求項１に記載の移動通信システム。
【請求項３】
前記移動局装置は、
前記第２の基地局装置のセルを測定するために必要とされる制御情報を更新し、前記制御情報に基づいて前記第２の基地局装置のセルの測定を行うことを特徴とする請求項１または請求項２に記載の移動通信システム。
【請求項４】
前記第１の基地局装置は、
受信した前記第２の基地局装置のセルの情報と前記第１の基地局装置が保持する周辺セル情報とに基づき、前記第２の基地局装置のセルを測定できない前記移動局装置に対して、前記移動局装置が前記第２の基地局装置のセルを測定するためのギャップを設定することを特徴とする請求項１から請求項３の何れかに記載の移動通信システム。
【請求項５】
前記第２の基地局装置のセルはＣＳＧセルであることを特徴とする請求項１から請求項４の何れかに記載の移動通信システム。
【請求項６】
第１の基地局装置と通信する移動局装置であって、
該移動局装置に登録されている第２の基地局装置のセルを測定できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、
前記第２の基地局装置のセルを測定できない場合に前記第１の基地局装置によって更新された、前記移動局装置が前記第２の基地局装置のセルを測定するために必要とされる制御情報に基づき、前記第２の基地局装置のセルの測定を行うことを特徴とする移動局装置。
【請求項７】
移動局装置と通信する基地局装置であって、
前記移動局装置がアクセスするために前記移動局装置に登録されている他の基地局装置のセルを測定できない場合であっても、前記他の基地局装置のセルのエリア内であることを自律的に検出した場合に、前記移動局装置に予め登録してある前記他の基地局装置のセルのリストの情報に基づいて、前記移動局装置から送信される前記他の基地局装置のセルの情報を受信し、
受信した前記他の基地局装置のセルの情報と保持する周辺セル情報とに基づき、前記他の基地局装置のセルを測定できない前記移動局装置に対して、前記移動局装置が前記他の基地局装置のセルを測定するために必要とされる制御情報を更新することを特徴とする基地局装置。
【請求項８】
移動局装置と、前記移動局装置が通信中の第１の基地局装置と、前記移動局装置がアクセスするために前記移動局装置に登録された第２の基地局装置を用いた移動通信方法であって、
前記移動局装置は、
前記移動局装置に登録されている前記第２の基地局装置のセルを測定できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、
前記第１の基地局装置は、
受信した前記第２の基地局装置のセルの情報と前記第１の基地局装置が保持する周辺セル情報とに基づき、前記第２の基地局装置のセルを測定できない前記移動局装置に対して、前記移動局装置が前記第２の基地局装置のセルを測定するために必要とされる制御情報を更新することを特徴とする移動通信方法。
【手続補正書】
【提出日】平成23年2月14日(2011.2.14)
【手続補正１】
【補正対象書類名】明細書
【補正対象項目名】００１１
【補正方法】変更
【補正の内容】
【００１１】
（１）  本発明は、上記課題を解決するためになされたもので、本発明の一態様による移動通信システムは、移動局装置と、前記移動局装置が通信中の第１の基地局装置と、前記移動局装置がアクセスするために前記移動局装置に登録された第２の基地局装置とを備える移動通信システムであって、前記移動局装置は、前記移動局装置に登録されている前記第２の基地局装置のセルを検出できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、前記第１の基地局装置は、受信した前記第２の基地局装置のセルの情報と前記第１の基地局装置が保持する周辺セル情報とに基づき、前記第２の基地局装置のセルを検出できない前記移動局装置に対して、前記移動局装置が前記第２の基地局装置のセルを測定するために必要とされる制御情報を更新する。
【手続補正２】
【補正対象書類名】明細書
【補正対象項目名】００１４
【補正方法】変更
【補正の内容】
【００１４】
（４）  また、本発明の一態様による移動通信システムの前記第１の基地局装置は、受信した前記第２の基地局装置のセルの情報と前記第１の基地局装置が保持する周辺セル情報とに基づき、前記第２の基地局装置のセルを検出できない前記移動局装置に対して、前記移動局装置が前記第２の基地局装置のセルを測定するためのギャップを設定しても良い。
【手続補正３】
【補正対象書類名】明細書
【補正対象項目名】００１６
【補正方法】変更
【補正の内容】
【００１６】
（６）  また、本発明の一態様による移動局装置は、第１の基地局装置と通信する移動局装置であって、該移動局装置に登録されている第２の基地局装置のセルを検出できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、前記第２の基地局装置のセルを検出できない場合に前記第１の基地局装置によって更新された、前記移動局装置が前記第２の基地局装置のセルを測定するために必要とされる制御情報に基づき、前記第２の基地局装置のセルの測定を行う。
【手続補正４】
【補正対象書類名】明細書
【補正対象項目名】００１７
【補正方法】変更
【補正の内容】
【００１７】
（７）  また、本発明の一態様による基地局装置は、移動局装置と通信する基地局装置であって、前記移動局装置がアクセスするために前記移動局装置に登録されている他の基地局装置のセルを検出できない場合であっても、前記他の基地局装置のセルのエリア内であることを自律的に検出した場合に、前記移動局装置に予め登録してある前記他の基地局装置のセルのリストの情報に基づいて、前記移動局装置から送信される前記他の基地局装置のセルの情報を受信し、受信した前記他の基地局装置のセルの情報と保持する周辺セル情報とに基づき、前記他の基地局装置のセルを検出できない前記移動局装置に対して、前記移動局装置が前記他の基地局装置のセルを測定するために必要とされる制御情報を更新する。
【手続補正５】
【補正対象書類名】明細書
【補正対象項目名】００１８
【補正方法】変更
【補正の内容】
【００１８】
（８）  また、本発明の一態様による移動通信方法は、移動局装置と、前記移動局装置が通信中の第１の基地局装置と、前記移動局装置がアクセスするために前記移動局装置に登録された第２の基地局装置を用いた移動通信方法であって、前記移動局装置は、前記移動局装置に登録されている前記第２の基地局装置のセルを検出できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、前記第１の基地局装置は、受信した前記第２の基地局装置のセルの情報と前記第１の基地局装置が保持する周辺セル情報とに基づき、前記第２の基地局装置のセルを検出できない前記移動局装置に対して、前記移動局装置が前記第２の基地局装置のセルを測定するために必要とされる制御情報を更新する。
【手続補正６】
【補正対象書類名】特許請求の範囲
【補正対象項目名】全文
【補正方法】変更
【補正の内容】
【特許請求の範囲】
【請求項１】
移動局装置と、前記移動局装置が通信中の第１の基地局装置と、前記移動局装置がアクセスするために前記移動局装置に登録された第２の基地局装置とを備える移動通信システムであって、
前記移動局装置は、
前記移動局装置に登録されている前記第２の基地局装置のセルを検出できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、
前記第１の基地局装置は、
受信した前記第２の基地局装置のセルの情報と前記第１の基地局装置が保持する周辺セル情報とに基づき、前記第２の基地局装置のセルを検出できない前記移動局装置に対して、前記移動局装置が前記第２の基地局装置のセルを測定するために必要とされる制御情報を更新することを特徴とする移動通信システム。
【請求項２】
前記第２の基地局装置のセルの情報は、前記第２の基地局装置のセルの周波数を含むことを特徴とする請求項１に記載の移動通信システム。
【請求項３】
前記移動局装置は、
前記第２の基地局装置のセルを測定するために必要とされる制御情報を更新し、前記制御情報に基づいて前記第２の基地局装置のセルの測定を行うことを特徴とする請求項１または請求項２に記載の移動通信システム。
【請求項４】
前記第１の基地局装置は、
受信した前記第２の基地局装置のセルの情報と前記第１の基地局装置が保持する周辺セル情報とに基づき、前記第２の基地局装置のセルを検出できない前記移動局装置に対して、前記移動局装置が前記第２の基地局装置のセルを測定するためのギャップを設定することを特徴とする請求項１から請求項３の何れかに記載の移動通信システム。
【請求項５】
前記第２の基地局装置のセルはＣＳＧセルであることを特徴とする請求項１から請求項４の何れかに記載の移動通信システム。
【請求項６】
第１の基地局装置と通信する移動局装置であって、
該移動局装置に登録されている第２の基地局装置のセルを検出できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、
前記第２の基地局装置のセルを検出できない場合に前記第１の基地局装置によって更新された、前記移動局装置が前記第２の基地局装置のセルを測定するために必要とされる制御情報に基づき、前記第２の基地局装置のセルの測定を行うことを特徴とする移動局装置。
【請求項７】
移動局装置と通信する基地局装置であって、
前記移動局装置がアクセスするために前記移動局装置に登録されている他の基地局装置のセルを検出できない場合であっても、前記他の基地局装置のセルのエリア内であることを自律的に検出した場合に、前記移動局装置に予め登録してある前記他の基地局装置のセルのリストの情報に基づいて、前記移動局装置から送信される前記他の基地局装置のセルの情報を受信し、
受信した前記他の基地局装置のセルの情報と保持する周辺セル情報とに基づき、前記他の基地局装置のセルを検出できない前記移動局装置に対して、前記移動局装置が前記他の基地局装置のセルを測定するために必要とされる制御情報を更新することを特徴とする基地局装置。
【請求項８】
移動局装置と、前記移動局装置が通信中の第１の基地局装置と、前記移動局装置がアクセスするために前記移動局装置に登録された第２の基地局装置を用いた移動通信方法であって、
前記移動局装置は、
前記移動局装置に登録されている前記第２の基地局装置のセルを検出できない場合であっても、前記第２の基地局装置のセルのエリア内であることを自律的に検出した場合に、前記移動局装置に予め登録してある前記第２の基地局装置のセルのリストの情報に基づいて、前記第２の基地局装置のセルの情報を前記第１の基地局装置に送信し、
前記第１の基地局装置は、
受信した前記第２の基地局装置のセルの情報と前記第１の基地局装置が保持する周辺セル情報とに基づき、前記第２の基地局装置のセルを検出できない前記移動局装置に対して、前記移動局装置が前記第２の基地局装置のセルを測定するために必要とされる制御情報を更新することを特徴とする移動通信方法。
【国際調査報告】
2009116427.tif 000034
2009116427.tif 000035